(57)【特許請求の範囲】
【請求項１】
ケースを備え、
前記ケースは、前記ケースに水を流入させる流入部と、前記ケースから水を流出させる流出口を有する流出部とを含み、
前記ケースの内部には、鉛直方向に沿って添加材を堆積させるように収容する収容部が形成され、
前記収容部に堆積された添加材堆積物は、上端と下端とを有し、
鉛直方向に沿った方向における前記流出部の前記流出口の位置は、前記添加材堆積物の上端と下端との間の位置であって、
前記ケースは、筒形状を有し且つ周壁と頂壁と底壁とを含む外筒と、前記収容部を形成し且つ前記外筒の前記周壁の内側に配置された壁部を含む仕切部材とによって構成され、
前記外筒の周壁と頂壁と底壁と前記仕切部材の壁部とによって囲まれた空間には、貯水部が形成され、
前記収容部は、前記貯水部よりも前記ケースの内側に配置され、前記外筒の周壁と頂壁と底壁と前記仕切部材の壁部とによって囲まれた空間または前記外筒の頂壁と底壁と前記仕切部材の壁部によって囲まれた空間に形成され、
前記収容部の上方において、前記外筒の頂壁には開口が形成され、
前記流出部は、上端と下端とを有し且つ前記開口から前記収容部に挿入された管部材を含み、
前記管部材の上端は、前記外筒の頂壁から前記ケースの外部に突出し、
前記管部材の下端には、前記流出口が形成されている、水処理装置。
【請求項２】
前記ケースの内部に前記貯水部が形成され、
前記貯水部と前記ケースの外部とは、前記流入部によって連通され、
前記ケースの内部において、前記貯水部と前記収容部とは連続している、
請求項１に記載の水処理装置。
【請求項３】
前記流出部の前記流出口は、鉛直上下方向に沿った前記収容部の中心よりも下方に配置されている、請求項１または請求項２に記載の水処理装置。
【請求項４】
前記流入部は、前記ケースに形成された流入口を有し、
前記流入口は、前記流出口よりも上方に配置されている、
請求項１から請求項３までのいずれか１項に記載の水処理装置。
【請求項５】
前記ケースは、前記添加材堆積物の上端側に配置された頂壁を有し、
前記流入部の上端と前記流出部の上端とは、前記頂壁の上方に配置されている、
請求項１から請求項４までのいずれか１項に記載の水処理装置。
【請求項６】
前記流入部は、前記ケースの外部から前記貯水部に水が流入するように前記外筒に形成された流入口を含み、
前記添加材堆積物の下端は、前記外筒の前記底壁よりも上方に配置されている、
請求項１から請求項５までのいずれか１項に記載の水処理装置。
【請求項７】
前記仕切部材は、前記壁部としての周壁を有し、
前記外筒の周壁と、前記仕切部材の周壁とは、それぞれ円筒形状を有し、
前記外筒の周壁の中心軸線と、前記仕切部材の周壁の中心軸線とは、略一致している、
請求項１から請求項６までのいずれか１項に記載の水処理装置。
【請求項８】
前記流入部は、前記ケースの外部から前記貯水部に水が流入するように前記頂壁に形成された流入口を含む、請求項１から請求項７までのいずれか１項に記載の水処理装置。
【請求項９】
ケースを備え、
前記ケースは、前記ケースに水を流入させる流入部と、前記ケースから水を流出させる流出口を有する流出部とを含み、
前記ケースの内部には、鉛直方向に沿って添加材を堆積させるように収容する収容部が形成され、
前記収容部に堆積された添加材堆積物は、上端と下端とを有し、
鉛直方向に沿った方向における前記流出部の前記流出口の位置は、前記添加材堆積物の上端と下端との間の位置であって、
前記流入部は、前記ケースに形成された流入口を有し、
前記流出部の前記流出口は、前記ケースに形成され、
前記ケースは、筒形状を有し且つ周壁と頂壁と底壁とを含む外筒と、前記外筒の頂壁と底壁との間において上下方向に沿った方向に延び且つ前記外筒の周壁と頂壁と底壁とに囲まれた空間を、水を貯留する貯水部と前記収容部とに区画する仕切部材とによって構成され、
前記収容部は、前記外筒の周壁と頂壁と底壁と前記仕切部材とによって囲まれた空間に形成され、
前記流出口は、前記添加材堆積物と面するように前記外筒の周壁に形成されている、
水処理装置。
【請求項１０】
前記ケースは、前記ケースの側面を形成する周壁を有し、
前記流入口と前記流出口とは、前記周壁に形成されている、
請求項９に記載の水処理装置。
【請求項１１】
前記流入口は、前記外筒に形成され、
前記添加材堆積物の下端は、前記外筒の底壁よりも上方に配置されている、
請求項９または請求項１０に記載の水処理装置。
【請求項１２】
請求項１から請求項１１までのいずれか１項に記載の水処理装置を備えた、浄水器。
【発明の詳細な説明】
【技術分野】
【０００１】
本発明は、一般的には水処理装置およびそれを備えた浄水器に関し、特定的には特定の添加材を水に添加させる水処理装置およびそれを備えた浄水器に関する。
【背景技術】
【０００２】
浄水器等に用いられる水処理装置として、例えば、特開２００６−３５２１４号公報（以下、特許文献１という）に記載されたフィルターカートリッジ組立体、特開２０１０−１１５６１２号公報（以下、特許文献２という）に記載された浄水カートリッジ、および、特開平１１−２７７０７９号公報（以下、特許文献３という）に記載されたミネラル添加手段が従来から知られている。
【０００３】
特許文献１に記載のフィルターカートリッジ組立体は、円筒状のハウジングと、フィルターカートリッジとを備えている。ハウジングは、フィルターカートリッジを収容している。ハウジングの上端部には、上部キャップ部が結合されている。ハウジングの下端部には、下部キャップ部が結合されている。下部キャップ部には流入口が形成され、上部キャップ部には流出口が形成されている。さらに、ハウジングの内部において、ハウジングの中心から半径方向に沿って一定距離離れた位置には、少なくとも一つの流入水用バイパス流出口が形成されている。
【０００４】
フィルターカートリッジは、ハウジングの内部において、上側の上部流動空間と、下側の下部流動空間との間に挟まれている。また、フィルターカートリッジの側壁とハウジングの側面円周部との間には、流動空間が形成されている。
【０００５】
フィルターカートリッジの下部には、微小流入部が形成されている。フィルターカートリッジの上部には、微小流出部が形成されている。カートリッジの内部には、機能性フィルター材が収容されている。機能性フィルター材には、有効成分が含有されている。
【０００６】
流入部を通じて下部流動空間に流入される原水または浄水の一部は、フィルターカートリッジの微小流入部を通じてカートリッジの内部に流入される。カートリッジの内部に流入した原水または浄水は、機能性フィルター材の有効成分を最大濃度で含有した状態において、微小流出部を通じて上部流動空間に排出される。
【０００７】
また、流入部を通じて下部流動空間に流入される原水または浄水の残りの一部は、フィルターカートリッジを通過せずにカートリッジの側面の流動空間から流入水用バイパス流出口を通じて上部流動空間に排出される。
【０００８】
一方、特許文献２に記載の浄水カートリッジは、ケースを備えている。ケースは、略円筒形状を有している。ケースは、使用状態において、上部を形成するアッパケースと、下部を形成するロワケースとを有している。アッパケースの下縁と、ロワケースの上縁とは、相互に結合されている。
【０００９】
ケースの内部は、隔壁とシートとによって、上下方向（軸方向）に大きく三つの空間に分けられている。シートは、隔壁に対して間隔をあけるように、隔壁の下方に配置されている。これら三つの空間のうち、最上部は添加剤を収容する添加剤収容室であり、最下部は水を浄化する浄化室であり、中間部は中間室である。
【００１０】
添加剤収容室は、アッパケースと隔壁とによって囲まれている。アッパケースは、ケースの周壁上部を形成する周壁と、ケースの天壁を形成する天壁と、天壁の中央部から浄水カートリッジの中心軸に沿って下方に伸びる内筒とを有している。このようにして、アッパケースは、断面が円環形状を有する筒状に形成されている。
【００１１】
隔壁は、アッパケースの下部を塞ぐように、アッパケースに取り付けられている。すなわち、周壁、天壁、内筒、および、隔壁で囲まれた断面略円環状の空間として、アッパケースの筒内に添加剤収容室が形成されている。添加剤収容室には、例えば直径数ミリ程度の粒状カルシウム等の添加剤が収容される。
【００１２】
浄水カートリッジは、ポット型浄水器に用いられている。浄水器は、略有底筒状のポットケースを有している。ポットケースの内部には、略有底筒形状の隔壁体が収容されている。この隔壁体によって、ポットケースの内部は、上側の原水室と、下側の浄水室とに区画されている。浄水カートリッジは、当該浄水カートリッジの上部が浄水室に露出するように、ポットケースの内部に配置されている。このとき、ケースの上部に形成された導水口が原水室に臨むように、浄水カートリッジがポットケースの内部に配置されている。
【００１３】
添加剤収容室においては、原水室から導水口を介して添加剤収容室に導入された原水に添加剤が溶出する。添加剤が添加された水は、添加剤収容室から隔壁のスリットを介して中間室に流出する。
【００１４】
また一方、特許文献３に記載されたミネラル添加手段は、添加材格納容器を有している。添加材格納容器は、ミネラル添加材を収容している。添加材格納容器の中腹部には、複数の孔が形成されている。被処理水は、添加材格納容器の下部から添加材格納容器に供給され、複数の孔から添加材格納容器の内部に流入する。被処理水は、ミネラル添加材と接触しながら添加材格納容器の下端から添加材格納容器の外部に排出される。
【先行技術文献】
【特許文献】
【００１５】
【特許文献１】特開２００６−３５２１４号公報
【特許文献２】特開２０１０−１１５６１２号公報
【特許文献３】特開平１１−２７７０７９号公報
【発明の概要】
【発明が解決しようとする課題】
【００１６】
しかしながら、特許文献１に記載のフィルターカートリッジ組立体において、原水または浄水は、フィルターカートリッジの下端から上端までのフィルターカートリッジの内部の全体を流通する。そのため、フィルターカートリッジの内部の機能性フィルター材を通った水中の有効成分の濃度は、有効成分が比較的多量に残存するような当該フィルターハウジング組立体の使用初期において高く、多くの有効成分が溶け出した後の後期において低くなる。このように、特許文献１に記載のフィルターハウジング組立体は、機能性フィルター材の有効成分の溶出量の経時的な変化、および、水中の有効成分の濃度の経時的な変化について考慮されたものではなかった。
【００１７】
特許文献２に記載された浄水カートリッジにおいて、導水口を通って原水室からケースの内部の添加材収容室に流入した水は、添加剤収容室を重力によって鉛直上方から下方に向かって移動した後に、スリットを経て中間室に流出する。このように、添加材収容室において、水の移動は、重力に依存している。また、水は、添加材収容室の上端から下端までの全体を流通することはない。そのため、添加材収容室において、水は、特定の経路を通りやすい。
【００１８】
添加材収容室において特定の経路を水が移動する場合には、添加材が局所的に水に溶解されることによって、添加材が充填された部分において、例えば、空洞状のトンネルが形成されるような事態が生じる。これにより、添加物の溶出量の減少が発生する。特に、添加材収容室における流量が小さい場合には、このような事態が生じる可能性が高まる。このように、特許文献２に記載の浄水カートリッジは、添加物の溶出量を長期的に安定させることが困難である。言い換えると、特許文献２に記載の浄水カートリッジにおいて、水中の添加物の濃度は、経時的に変化する。
【００１９】
特許文献３に記載されたミネラル添加手段において、複数の孔を通って添加材格納容器の内部に流入した被処理水は、重力によって鉛直上方から下方に向かって移動した後に、添加材格納容器の下端から添加材格納容器の外部に排出される。このように、添加材格納容器の内部において、水の移動は重力に依存している。また、水は、添加材格納容器の上端から下端までの全体を流通することはない。そのため、添加材格納容器の内部において、水は、特定の経路を通りやすい。
【００２０】
添加材格納容器の内部において特定の経路を水が移動する場合には、ミネラル添加材が局所的に水に溶解されることによって、ミネラル添加材が充填された部分において、特許文献２に記載の浄水カートリッジと同様に、空洞状のトンネルが形成されるような事態が生じる。このように、特許文献３に記載のミネラル添加手段は、ミネラル添加材の溶出量を長期的に安定させることが困難である。そのため、特許文献３に記載のミネラル添加手段において、水中のミネラルの濃度は、経時的に変化する。
【００２１】
そこで、本発明の目的は、水中の添加材の成分の濃度の経時変化を防止することが可能な水処理装置およびそれを備えた浄水器を提供することである。
【課題を解決するための手段】
【００２２】
本発明の一つの局面に従った水処理装置は、ケースを備えている。ケースは、ケースに水を流入させる流入部と、ケースから水を流出させる流出口を有する流出部とを含む。ケースの内部には、収容部が形成されている。収容部は、鉛直方向に沿って添加材を堆積させるように収容する。収容部に堆積された添加材堆積物は、上端と下端とを有している。鉛直方向に沿った方向における流出部の流出口の位置は、添加材堆積物の上端と下端との間の位置である。
【００２３】
本発明の一つの局面に従った水処理装置において、ケースの内部に流入した水は、ケースの内部を流通した後に流出口を通ってケースの外部に流出する。ケースの内部における水面の位置は、鉛直上下方向に沿った方向において流出口の近傍の位置である。
【００２４】
本発明によれば、流出口は、添加材堆積物の上端と下端との間に配置されている。そのため、水面の位置は、添加材堆積物の上端と下端との間の位置である。これにより、添加材堆積物において、流出口よりも上方の部分は、水と接触し難い。そのため、添加材堆積物における流出口よりも上方の部分は、ほとんど水に溶出しない。一方、添加材堆積物における流出口よりも下方の部分は、略常時、水に浸かっている。
【００２５】
また、添加材堆積物における流出口よりも上方の部分は、添加材堆積物における流出口よりも下方の部分が溶けた後に、重力によって徐々に下方に移動する。これにより、添加材の多くが収容部に残っている間は、添加材堆積物の全体において水に接触する部分の体積を一定に保つことができる。そのため、添加材の水への溶出量、および、水中の添加材の成分の濃度を一定に保つことができる。
【００２６】
したがって、本発明によれば、水中の添加材の成分の濃度の経時変化を防止することが可能な水処理装置を提供することができる。
【００２７】
本発明の一つの局面に従った水処理装置において、ケースは、外筒と仕切部材とによって構成されている。外筒は、筒形状を有し且つ周壁と頂壁と底壁とを含む。仕切部材は、収容部を形成し且つ外筒の周壁の内側に配置された壁部を含む。貯水部は、外筒の周壁と頂壁と底壁と仕切部材の壁部とによって囲まれた空間に形成されている。収容部は、貯水部よりもケースの内側に配置され、外筒の周壁と頂壁と底壁と仕切部材の壁部とによって囲まれた空間または外筒の頂壁と底壁と仕切部材の壁部によって囲まれた空間に形成されている。
【００２８】
本発明の一つの局面に従った水処理装置の収容部の上方において、頂壁には開口が形成されている。流出部は、管部材を含む。管部材は、上端と下端とを有し且つ開口から収容部に挿入されている。管部材の上端は、外筒の頂壁からケースの外部に突出している。管部材の下端には、流出口が形成されている。
【００２９】
この構成によれば、頂壁と底壁と周壁とを含む外筒と、外筒の周壁の内側に配置された仕切部材とによって、ケースを容易に形成することができる。さらに、外筒の周壁の内側に配置された壁部によって収容部を容易に形成することができる。
【００３０】
また、この構成によれば、流出口は、収容部に配置されて添加材堆積物に面している。これにより、管部材の内部を通して、添加材の成分が溶解した水をケースの外部に容易に移動させることができる。
【００３１】
本発明の一つの局面に従った水処理装置において、好ましくは、ケースの内部に貯水部が形成されている。好ましくは、貯水部とケースの外部とは、流入部によって連通されている。好ましくは、ケースの内部において貯水部と収容部とは連続している。
【００３２】
この構成によれば、ケースの外部から内部に流入した水は、貯水部を通ってから収容部に流入する。つまり、ケースの外部から内部に流入した水が、ケースの内部においていきなり添加材に接触することがない。また、添加材堆積物における流出口よりも下方の部分は、ケースの外部から内部に流入した直後の水と順序を踏まずに接触することがなく、貯水部を通った水と接触する。そのため、堆積された添加材が水に余分に溶出することが無い。これにより、添加材が消失するまでの期間が短縮されることを防止することができる。
【００３３】
本発明の一つの局面に従った水処理装置において、流出部の流出口は、好ましくは、鉛直上下方向に沿った収容部の中心よりも下方に配置されている。
【００３４】
この構成によれば、収容部の添加材堆積物において、水に溶出する部分と、水に接触せずに堆積する部分とを効果的に分けることができる。これにより、添加材の水への溶出量、および、添加材が消失するまでの期間を適宜調整することができる。
【００３５】
本発明の一つの局面に従った水処理装置において、流入部は、好ましくは、ケースに形成された流入口を有している。流入口は、好ましくは、流出口よりも上方に配置されている。
【００３６】
この構成によれば、流入口からケースの内部に流入する水を、重力によって、ケースの内部の下部に移動させることができる。ケースの内部に流入する水の量の増加に従って、ケースの内部の下部から流出口までに水面が上昇する。さらに、ケースの内部を流通する水の水圧によって、流出口を通してケースの外部に水を流出させることができる。このように、この構成によれば、水圧と重力とを単に考慮することによって、流入口を通してケースの外部から内部に流入した水をケースの外部に流出口を通して流出させることができる。
【００３７】
本発明の一つの局面に従った水処理装置において、ケースは、好ましくは、添加材堆積物の上端側に配置された頂壁を有している。流入部の上端と流出部の上端とは、好ましくは、頂壁の上方に配置されている。
【００３８】
この構成によれば、流入部を通してケースの内部に流入される水を流通させるための管状部材と、流出部を通してケースの外部に流出される水を流通させるための管状部材とを、頂壁の上方において、それぞれ流入部と流出部とに容易に接続させることができるため、本発明に従った水処理装置を管状部材に容易に着脱させることができる。
【００３９】
本発明の一つの局面に従った水処理装置において、流入部は、好ましくは、流入口を含む。流入口は、ケースの外部から貯水部に水が流入するように外筒に形成されている。本発明の一つの局面に従った水処理装置において、好ましくは、添加材堆積物の下端は、外筒の底壁よりも上方に配置されている。
【００４０】
この構成によれば、ケースの内部の水は、外筒の底壁から添加材堆積物の下端を通るように、貯水部から収容部に容易に移動する。そのため、添加材の成分が溶解した水が、外筒の底壁と添加材堆積物の下端との間の空間に滞留または沈殿し難い。このように、この構成によれば、ケースの内部に添加材の成分が溶解した水が残ることを防止することができる。
【００４１】
本発明の一つの局面に従った水処理装置において、仕切部材は、好ましくは、壁部としての周壁を有している。外筒の周壁と仕切部材の周壁とは、好ましくは、それぞれ円筒形状を有している。本発明の一つの局面に従った水処理装置において、好ましくは、外筒の周壁の中心軸線と、仕切部材の周壁の中心軸線とは、略一致している。
【００４２】
この構成によれば、流入口を通って外筒の内部に流入した水が、中心軸線に向かって収容部に流入し易い。そのため、添加材堆積物における流出口の下方の部分の全体において、添加材に水を容易に接触させることができる。
【００４３】
本発明の一つの局面に従った水処理装置において、流入部は、好ましくは、ケースの外部から貯水部に水が流入するように頂壁に形成された流入口を含む。
【００４４】
この構成によれば、流入口からケースの内部に流入する水を、重力によって、外筒の底壁に移動させることができる。ケースの内部に流入する水の量の増加に従って、底壁から流出口までに水面が上昇する。さらに、ケースの内部を流通する水の水圧によって、流出口を通してケースの外部に水を流出させることができる。このように、この構成によれば、水圧と重力とを単に考慮することによって、流入口からケースの内部に流入した水を流出口から流出させることができる。
【００４５】
本発明のもう一つの局面に従った水処理装置は、ケースを備えている。ケースは、ケースに水を流入させる流入部と、ケースから水を流出させる流出口を有する流出部とを含む。ケースの内部には、収容部が形成されている。収容部は、鉛直方向に沿って添加材を堆積させるように収容する。収容部に堆積された添加材堆積物は、上端と下端とを有している。鉛直方向に沿った方向における流出部の流出口の位置は、添加材堆積物の上端と下端との間の位置である。
【００４６】
本発明のもう一つの局面に従った水処理装置において、ケースの内部に流入した水は、ケースの内部を流通した後に流出口を通ってケースの外部に流出する。ケースの内部における水面の位置は、鉛直上下方向に沿った方向において流出口の近傍の位置である。
【００４７】
本発明によれば、流出口は、添加材堆積物の上端と下端との間に配置されている。そのため、水面の位置は、添加材堆積物の上端と下端との間の位置である。これにより、添加材堆積物において、流出口よりも上方の部分は、水と接触し難い。そのため、添加材堆積物における流出口よりも上方の部分は、ほとんど水に溶出しない。一方、添加材堆積物における流出口よりも下方の部分は、略常時、水に浸かっている。
【００４８】
また、添加材堆積物における流出口よりも上方の部分は、添加材堆積物における流出口よりも下方の部分が溶けた後に、重力によって徐々に下方に移動する。これにより、添加材の多くが収容部に残っている間は、添加材堆積物の全体において水に接触する部分の体積を一定に保つことができる。そのため、添加材の水への溶出量、および、水中の添加材の成分の濃度を一定に保つことができる。
【００４９】
したがって、本発明によれば、水中の添加材の成分の濃度の経時変化を防止することが可能な水処理装置を提供することができる。
【００５０】
本発明のもう一つの局面に従った水処理装置において、流入部は、ケースに形成された流入口を有している。流出部の流出口は、ケースに形成されている。
【００５１】
この構成によれば、ケースに流入口と流出口といった孔を形成することによって、特定の経路を水が移動することがなくなり、溶出量の長期的な変化に容易に対応することができる。
【００５２】
本発明のもう一つの局面に従った水処理装置において、ケースは、外筒と仕切部材とによって構成されている。外筒は、筒形状を有し且つ周壁と頂壁と底壁とを含む。仕切部材は、外筒の頂壁と底壁との間において上下方向に沿った方向に延びている。仕切部材は、外筒の周壁と頂壁と底壁とに囲まれた空間を、水を貯留する貯水部と収容部とに区画する。収容部は、外筒の周壁と頂壁と底壁と仕切部材とによって囲まれた空間に形成されている。流出口は、添加材堆積物と面するように外筒の周壁に形成されている。
【００５３】
この構成によれば、外筒と仕切部材とによってケースを容易に形成することができる。さらに、外筒の頂壁と底壁との間において上下方向に沿った方向に延びる仕切部材と、外筒の周壁とによって、収容部を容易に形成することができる。
【００５４】
また、この構成によれば、流出口は、添加材堆積物に面するように外筒の周壁に形成されている。これにより、流出口および流出部を通して、添加材の成分が溶解した水をケースの外部に容易に移動させることができる。
【００５５】
本発明のもう一つの局面に従った水処理装置において、ケースは、好ましくは、ケースの側面を形成する周壁を有している。流入口と流出口とは、好ましくは、周壁に形成されている。
【００５６】
この構成によれば、流入部および流入口を通してケースの内部に流入される水を流通させるための管状部材と、流出部および流出口を通してケースの外部に流出される水を流通させるための管状部材とを、周壁の外側において、それぞれ流入部と流出部とに容易に接続させることができる。例えば、ケースの内部に流入される水を流通させるための管状部材と、ケースの外部に流出される水を流通させるための管状部材とが略水平方向に延びている場合には、これらの管状部材を流入部と流出部とに特に容易に接続させることができる。
【００５７】
本発明のもう一つの局面に従った水処理装置において、流入口は、好ましくは、外筒に形成されている。添加材堆積物の下端は、外筒の底壁よりも上方に配置されている。
【００５８】
この構成によれば、ケースの内部の水は、外筒の底壁から添加材堆積物の下端を通るように、貯水部から収容部に容易に移動する。そのため、添加材の成分が溶解した水が、外筒の底壁と添加材堆積物の下端との間の空間に滞留または沈殿し難い。このように、この構成によれば、ケースの内部に添加材の成分が溶解した水が残ることを防止することができる。
【００６１】
本発明に従った浄水器は、水処理装置を備えた浄水器であることが好ましい。本発明に従った浄水器は、水処理装置および当該浄水器において、水中の添加材の成分の濃度の経時変化を防止することができる。
【発明の効果】
【００６２】
以上のように、本発明によれば、水中の添加材の成分の濃度の経時変化を防止することが可能な水処理装置およびそれを備えた浄水器を提供することができる。
【図面の簡単な説明】
【００６３】
【図１】本発明に従った水処理装置の一例を示す鉛直断面図である。
【図２】本発明に従った水処理装置の一例を示す水平断面図である。
【図３】本発明に従った水処理装置を備えた浄水器の一例を概略的に示す図である。
【図４】本発明に従った水処理装置の一例のケースの別の形状をそれぞれ示す水平断面図である。
【図５】本発明に従った水処理装置の別の一例を示す鉛直断面図である。
【図６】本発明に従った水処理装置の別の一例を示す水平断面図である。
【図７】本発明に従った水処理装置の別の一例のケースの別の形状をそれぞれ示す水平断面図である。
【図８】本発明に従った水処理装置のさらに別の一例を示す鉛直断面図である。
【図９】本発明に従った水処理装置のさらに別の一例を示す水平断面図である。
【図１０】本発明に従った水処理装置のさらに別の一例のケースのさらに別の形状を示す水平断面図である。
【図１１】比較例の水処理装置を示す鉛直断面図である。
【図１２】実施例と比較例とによって得られた、水の積算通水量に対する水の硬度の変化を示すグラフである。
【発明を実施するための形態】
【００６４】
以下、本発明の実施の形態を図面に基づいて説明する。
【００６５】
（第１実施形態）
【００６６】
図１に示すように、第１実施形態に係る水処理装置２１０は、ケース１６０を備えている。ケース１６０は、浄水器１００（図３参照）において、ケース１６０の底面１７４に水を貯めることができるように配置されている。つまり、後述する浄水器１００に水処理装置２１０が設置される場合には、図１の上下方向は、鉛直上下方向と略一致する。
【００６７】
ケース１６０は、流入部と流出部とを含む。流入部は、ケース１６０に取り付けられた流入ノズル１６１ａと、後述する流入口１７２ａを含む。流入ノズル１６１ａと流入口１７２ａとは、ケース１６０に水を流入させる。流出部は、ケース１６０から水を流出させる。流出部の詳細については、後述する。
【００６８】
ケース１６０の内部には、収容部１６３が形成されている。収容部１６３は、添加材１６を収容する。収容部１６３において、添加材１６は、鉛直方向に沿って堆積される。図１において、堆積された添加材１６を堆積物１６６として示す。また、ケース１６０の内部には、貯水部１６４が形成されている。貯水部１６４は、水を貯留する。ケース１６０の外部と貯水部１６４とは、流入部によって連通されている。なお、貯水部１６４と収容部１６３とには、後述するようにそれぞれ水が流通する。そのため、貯水部１６４と収容部１６３とは、水が流通する通路の一部である。ケース１６０の内部において、貯水部１６４と収容部１６３とは連続している。
【００６９】
ケース１６０は、外筒１７０と内筒１８０とによって構成されている。外筒１７０は、周壁１７１と頂壁１７２と底壁１７３とを含む。外筒１７０は、筒形状を有している。内筒１８０は、収容部１６３を形成する。内筒１８０は、水処理装置２１０のケース１６０における仕切部材の一例である。
【００７０】
図１と図２とを参照するように、ケース１６０の外形を形成する周壁１７１は、円筒形状を有している。ケース１６０の水平断面において、周壁１７１の内面１７１ａは円形である。周壁１７１は、頂壁１７２と底壁１７３との間を鉛直上下方向に延びている。周壁１７１は、ケース１６０の側面を形成する。頂壁１７２は、堆積物１６６の上端側に配置されている。頂壁１７２の下面は、ケース１６０の天井面１７２ｄを形成している。一方、底壁１７３の上面は、ケース１６０の底面１７４を形成している。頂壁１７２と底壁１７３とは、それぞれ略水平方向に延びている。なお、図示されていないが、頂壁１７２と底壁１７３とは、それぞれ円板形状を有している。
【００７１】
内筒１８０は、壁部としての周壁１８１を有している。周壁１８１は、天井面１７２ｄから鉛直下方に向かって延びている。周壁１８１は、外筒１７０の周壁１７１に囲まれている。これにより、周壁１８１は、周壁１７１の内側に配置されている。図１と図２とを参照するように、周壁１８１は、円筒形状を有している。ケース１６０の水平断面において、周壁１８１の内面１８１ａと外面１８１ｂとは、それぞれ、周壁１８１の中心軸線Ｃ１（図２参照）を中心とする円である。外筒１７０の周壁１７１の中心軸線は、内筒１８０の周壁１８１の中心軸線Ｃ１に略一致している。
【００７２】
貯水部１６４は、外筒１７０の周壁１７１の内面１７１ａと内筒１８０の周壁１８１の外面１８１ｂとの間の空間に形成されている。貯水部１６４の上端は天井面１７２ｄであって、下端は底面１７４である。収容部１６３は、内面１８１ａと、天井面１７２ｄと、土台部材４１の上面４１ａとによって囲まれた空間によって形成されている。ケース１６０の平面視において、収容部１６３は、貯水部１６４よりもケース１６０の内側に配置されている。ケース１６０の内部において、収容部１６３と内筒１８０と土台部材４１を除く空間が貯水部１６４として構成されている。
【００７３】
土台部材４１は、周壁１８１の下端１８１ｃに取り付けられている。土台部材４１の上面４１ａは、底面１７４が延びる方向と平行な方向、つまり、略水平方向に延びている。土台部材４１は、網状のシートまたは板等によって形成されている。なお、土台部材４１の材質は特に限定されない。土台部材４１は、単なる布であってもよい。土台部材４１は、粒状の添加材１６を支持し且つ水を上下に流通させることができるように構成されていればよい。なお、土台部材４１と上面４１ａとが延びる方向は、底面１７４が延びる方向と平行でなくても構わない。
【００７４】
流入口１７２ａは、頂壁１７２に形成されている。詳細には、頂壁１７２において、周壁１７１の内面１７１ａの上端と周壁１８１の外面１８１ｂの上端との間の位置に、流入口１７２ａが形成されている。流入口１７２ａは、略円環形状を有している。なお、図示していないスポーク状の部分によって、流入口１７２ａが部分的に塞がれていてもよい。このようなスポーク状の部分は、中心軸線Ｃ１を中心に放射状に延びている。
【００７５】
流入ノズル１６１ａは、中心軸線Ｃ１（図２参照）を中心とする円形状の開口部である。流入ノズル１６１ａの内周壁１６１ｃと、流入口１７２ａとは、頂壁１７２において連続している。流入ノズル１６１ａの上端は、頂壁１７２の上方に配置されている。
【００７６】
頂壁１７２の中心部には、開口１７２ｃが形成されている。開口１７２ｃは、収容部１６３の上方において、頂壁１７２に形成されている。開口１７２ｃの径は、流入口１７２ａの幅（つまり、図１の左右方向に沿った流入口１７２ａの寸法）よりも大きい。開口１７２ｃの中心には、中心軸線Ｃ１（図２参照）が通る。水処理装置２１０において、流出部の一例は、開口１７２ｃと流出管１９０とを含む。流出管１９０は、開口１７２ｃから収容部１６３に挿入された管部材の一例である。
【００７７】
流出管１９０は、上端１９１と下端１９２とを有している。流出管１９０は、開口１７２ｃを通して収容部１６３に挿入されている。流出管１９０の上端１９１は、頂壁１７２からケース１６０の外部に突出している。つまり、流出部の上端が頂壁１７２の上方に配置されている。流出管１９０の下端１９２には、流出口１９３が形成されている。流出口１９３および流出管１９０の内壁１９４の口径は、流入口１７２ａの幅よりも大きい。流出口１９３は、流出管１９０の下端１９２において、流出管１９０の内壁１９４と一致する。なお、流出管１９０の内壁１９４によって囲まれた空間は、水が流通する通路の一部を構成する。
【００７８】
図１に示すように、流出口１９３は、鉛直上下方向に沿った収容部１６３の中心よりも下方に配置されている。図１において、鉛直上下方向に沿った収容部１６３の中心の位置は、水平線ＣＬ１によって示される。一方、流入口１７２ａは、流出口１９３よりも上方に配置されている。
【００７９】
添加材１６は、粒形状を有している。水処理装置２１０において、添加材１６としては、硫酸マグネシウム、炭酸マグネシウム、硫酸マグネシウム、亜硫酸カルシウム、次亜塩素酸カルシウム等を用いることができる。あるいは、添加材１６は、細粒状のものとして、スクロース等のいわゆる砂糖であってもよく、塩であってもよい。
【００８０】
収容部１６３において、添加材１６が積み上げられることにより、添加材１６の堆積物１６６が形成される。収容部１６３に堆積された堆積物１６６は、上端と下端とを有している。図１に示すように、添加材１６が収容部１６３に満杯に収容された場合は、上下方向に沿った堆積物１６６の上端の位置は、天井面１７２ｄの位置に略一致する。一方、上下方向に沿った堆積物１６６の下端の位置は、土台部材４１の上面４１ａの位置に略一致する。
【００８１】
ケース１６０の内部において、内筒１８０の周壁１８１の下端１８１ｃは、底面１７４との間に空間が形成されるように、底面１７４の上方に配置されている。したがって、添加材１６の堆積物１６６の下端は、底壁１７３よりも上方に配置されている。一方、流出口１９３は、堆積物１６６の上端と下端との間に配置されている。
【００８２】
以下では、ケース１６０の内部における水の流れについて、説明する。流入口１７２ａを通ってケース１６０の外部から内部に流入した水は、貯水部１６４を流通する。貯水部１６４を通った水は、土台部材４１を通ってから収容部１６３に流入する。収容部１６３を水が流通する間および収容部１６３に水が滞留する間に、添加材１６に水が接触することにより、添加材１６が水に溶出することによって、成分が水に混入される。添加材１６の成分を含んだ水は、流出口１９３から流出管１９０の内壁１９４に囲まれた通路を通ってケース１６０の外部に流出する。
【００８３】
ケース１６０の外部に流出した水の圧力が極度に高くなるようにケース１６０の外部において水の流れが絞られた状態を除く場合は、ケース１６０の内部の水面の位置は、鉛直上下方向に沿った方向において流出口１９３の近傍の位置である。水処理装置２１０において、流出口１９３は、堆積物１６６の上端と下端との間に配置されている。つまり、ケース１６０の外部に流出する水の圧力が極度に高くない場合は、水面の位置は、堆積物１６６の上端と下端との間の位置である。これにより、堆積物１６６における流出口１９３よりも下方の部分は、略常時、水に浸かっている。一方、ケース１６０の外部に流出する水の圧力が極度に高くない場合は、堆積物１６６において、流出口１９３よりも上方の部分は、水と接触し難い。そのため、堆積物１６６における流出口１９３よりも上方の部分は、ほとんど水に溶出しない。
【００８４】
また、堆積物１６６における流出口１９３よりも上方の部分は、堆積物１６６における流出口１９３よりも下方の部分が溶けた後に、重力によって徐々に下方に移動する。これにより、添加材１６の多くが収容部１６３に残っている間は、堆積物１６６の全体において水に接触する部分の体積を一定に保つことができる。このように、水処理装置２１０の使用状態において、流出口１９３は、堆積物１６６の上端と下端との間に配置されている。堆積物１６６の上端が流出口１９３の下方まで下がる程度に、添加材１６が水に溶出することによって消失する場合は、ケース１６０を交換すること、または、添加材１６を追加することが好ましい。
【００８５】
以上のように第１実施形態の水処理装置２１０は、ケース１６０を備えている。ケース１６０は、ケース１６０に水を流入させる流入部と、ケース１６０から水を流出させる流出口１９３を有する流出部とを含む。流入部は、流入ノズル１６１ａと、流入口１７２ａとを含む。ケース１６０の内部には、収容部１６３が形成されている。収容部１６３は、鉛直方向に沿って添加材１６を堆積させるように収容する。収容部１６３に堆積された添加材１６の堆積物１６６は、上端と下端とを有している。流出部の流出口１９３は、堆積物１６６の上端と下端との間に配置されている。
【００８６】
水処理装置２１０において、ケース１６０の内部に流入した水は、ケース１６０の内部を流通した後に流出口１９３を通ってケース１６０の外部に流出する。ケース１６０の内部における水面の位置は、鉛直上下方向に沿った方向において流出口１９３の近傍の位置である。
【００８７】
水処理装置２１０によれば、流出口１９３は、堆積物１６６の上端と下端との間に配置されている。そのため、水面の位置は、堆積物１６６の上端と下端との間の位置である。これにより、堆積物１６６において、流出口１９３よりも上方の部分は、水と接触し難い。そのため、堆積物１６６における流出口１９３よりも上方の部分は、ほとんど水に溶出しない。一方、堆積物１６６における流出口１９３よりも下方の部分は、略常時、水に浸かっている。
【００８８】
また、堆積物１６６における流出口１９３よりも上方の部分は、堆積物１６６における流出口１９３よりも下方の部分が溶けた後に、重力によって徐々に下方に移動する。これにより、添加材１６の多くが収容部１６３に残っている間は、堆積物１６６の全体において水に接触する部分の体積を一定に保つことができる。そのため、添加材１６の水への溶出量、および、水中の添加材１６の成分の濃度を一定に保つことができる。
【００８９】
したがって、水処理装置２１０によれば、水中の添加材１６の成分の濃度の経時変化を防止することができる。
【００９０】
水処理装置２１０において、ケース１６０の内部には、水を貯留する貯水部１６４が形成されている。貯水部１６４とケース１６０の外部とは、流入ノズル１６１ａおよび流入口１７２ａによって連通されている。ケース１６０の内部において貯水部１６４と収容部１６３とは連続している。
【００９１】
この構成によれば、ケース１６０の外部から内部に流入した水は、貯水部１６４を通ってから収容部１６３に流入する。つまり、ケース１６０の外部から内部に流入した水が、ケース１６０の内部においていきなり添加材１６に接触することがない。また、堆積物１６６における流出口１９３よりも下方の部分は、ケース１６０の外部から内部に流入した直後の水と順序を踏まずに接触することがなく、貯水部１６４を通った水と接触する。そのため、堆積された添加材１６が水に余分に溶出することが無い。これにより、添加材１６が消失するまでの期間が短縮されることを防止することができる。
【００９２】
水処理装置２１０において、流出部の流出口１９３は、鉛直上下方向に沿った収容部１６３の中心よりも下方に配置されている。
【００９３】
この構成によれば、収容部１６３の堆積物１６６において、水に溶出する部分と、水に接触せずに堆積する部分とを効果的に分けることができる。これにより、添加材１６の水への溶出量、および、添加材１６が消失するまでの期間を適宜調整することができる。
【００９４】
水処理装置２１０において、流入部は、ケース１６０に形成された流入口１７２ａを有している。流入口１７２ａは、流出口１９３よりも上方に配置されている。
【００９５】
この構成によれば、流入口１７２ａからケース１６０の内部に流入する水を、重力によって、ケース１６０の内部の下部に移動させることができる。ケース１６０の内部に流入する水の量の増加に従って、ケース１６０の内部の下部から流出口１９３までに水面が上昇する。さらに、ケース１６０の内部を流通する水の水圧によって、流出口１９３を通してケース１６０の外部に水を流出させることができる。このように、この構成によれば、水圧と重力とを単に考慮することによって、流入口１７２ａを通してケース１６０の外部から内部に流入した水をケース１６０の外部に流出口１９３を通して流出させることができる。
【００９６】
水処理装置２１０において、ケース１６０は、堆積物１６６の上端側に配置された頂壁１７２を有している。流入部の流入ノズル１６１ａの上端と、流出部の上端とは、頂壁１７２の上方に配置されている。
【００９７】
この構成によれば、流入ノズル１６１ａおよび流入口１７２ａを通してケース１６０の内部に流入される水を流通させるための管状部材と、流出部を通してケース１６０の外部に流出される水を流通させるための管状部材とを、頂壁１７２の上方において、それぞれ流入ノズル１６１ａと流出部とに容易に接続させることができるため、水処理装置２１０を管状部材に容易に着脱させることができる。
【００９８】
水処理装置２１０において、ケース１６０は、外筒１７０と、仕切部材としての内筒１８０とによって構成されている。外筒１７０は、筒形状を有している。外筒１７０は、周壁１７１と頂壁１７２と底壁１７３とを含む。内筒１８０は、壁部としての周壁１８１を有している。周壁１８１は、収容部１６３を形成し且つ外筒１７０の周壁１７１の内側に配置されている。貯水部１６４は、外筒１７０の周壁１７１と頂壁１７２と底壁１７３と内筒１８０の周壁１８１とによって囲まれた空間に形成されている。収容部１６３は、貯水部１６４よりもケース１６０の内側に配置され、外筒１７０の頂壁１７２と底壁１７３と内筒１８０の周壁１８１とによって囲まれた空間に形成されている。
【００９９】
収容部１６３の上方において、頂壁１７２には開口１７２ｃが形成されている。流出部は、流出管１９０を含む。流出管１９０は、上端１９１と下端１９２とを有し且つ開口１７２ｃから収容部１６３に挿入されている。流出管１９０の上端１９１は、頂壁１７２からケース１６０の外部に突出している。流出管１９０の下端１９２には、流出口１９３が形成されている。
【０１００】
この構成によれば、頂壁１７２と底壁１７３と周壁１７１とを含む外筒１７０と、外筒１７０の周壁１７１の内側に配置された内筒１８０とによって、ケース１６０を容易に形成することができる。さらに、外筒１７０の周壁１７１の内側に配置された内筒１８０の周壁１８１によって収容部１６３を容易に形成することができる。
【０１０１】
また、この構成によれば、流出口１９３は、収容部１６３に配置されて堆積物１６６に面している。これにより、流出管１９０の内部を通して、添加材１６の成分が溶解した水をケース１６０の外部に容易に移動させることができる。
【０１０２】
水処理装置２１０において、流入部は、ケース１６０の外部から貯水部１６４に水が流入するように外筒１７０に形成された流入口１７２ａを含む。水処理装置２１０において、堆積物１６６の下端は、外筒１７０の底壁１７３よりも上方に配置されている。
【０１０３】
この構成によれば、ケース１６０の内部の水は、外筒１７０の底壁１７３から堆積物１６６の下端を通るように、貯水部１６４から収容部１６３に容易に移動する。そのため、添加材１６の成分が溶解した水が、外筒１７０の底壁１７３と堆積物１６６の下端との間の空間に滞留または沈殿し難い。このように、この構成によれば、ケース１６０の内部に添加材１６の成分が溶解した水が残ることを防止することができる。
【０１０４】
水処理装置２１０において、内筒１８０は、壁部としての周壁１８１を有している。外筒１７０の周壁１７１と内筒１８０の周壁１８１とは、それぞれ円筒形状を有している。水処理装置２１０において、外筒１７０の周壁１７１の中心軸線Ｃ１と、内筒１８０の周壁１８１の中心軸線Ｃ１とは、略一致している。
【０１０５】
この構成によれば、流入口１７２ａを通って外筒１７０の内部に流入した水が、中心軸線Ｃ１に向かって収容部１６３に流入し易い。そのため、堆積物１６６における流出口１９３の下方の部分の全体において、添加材１６に水を容易に接触させることができる。
【０１０６】
水処理装置２１０において、流入部は、ケース１６０の外部から貯水部１６４に水が流入するように頂壁１７２に形成された流入口１７２ａを含む。
【０１０７】
この構成によれば、流入口１７２ａからケース１６０の内部に流入する水を、重力によって、外筒１７０の底壁１７３に移動させることができる。ケース１６０の内部に流入する水の量の増加に従って、底壁１７３から流出口１９３までに水面が上昇する。さらに、ケース１６０の内部を流通する水の水圧によって、流出口１９３を通してケース１６０の外部に水を流出させることができる。このように、この構成によれば、水圧と重力とを単に考慮することによって、流入口１７２ａからケース１６０の内部に流入した水を流出口１９３から流出させることができる。
【０１０８】
図３は、水処理装置２１０を備えた浄水器の一例としての浄水器１００を示す概略図である。浄水器１００は、筐体１０と、フィルタユニット１２と、水処理装置２１０と、管状部材３０と、弁１３と、ノズル１４とを備えている。管状部材３０は、液体としての水を移動させる通路を形成する。フィルタユニット１２には、濾材１２ａが収容されている。弁１３は、水を移動させる通路において、水処理装置２１０とノズル１４との間に配置されている。弁１３の開閉に応じて、水を移動させる通路において、水処理装置２１０とノズル１４との間の水の流れが許容されたり堰き止められたりする。
【０１０９】
フィルタユニット１２は、筐体１０に収容されている。管状部材３０は、入水口１１からノズル１４まで延びている。ただし、水は、管状部材３０の他に、ノズル１４の内部を移動する。そのため、ノズル１４は、管状部材の一部であってもよい。ノズル１４には、出水口１５が形成されている。入水口１１は、管状部材３０の内部および浄水器１００の内部に水を流入させるためのものである。出水口１５は、管状部材３０の内部および浄水器１００の内部から水を流出させるためのものである。
【０１１０】
入水口１１から管状部材３０の内部に流入した水が、濾材１２ａに濾過されることにより、浄水器１００において浄水が生成される。浄水は、水処理装置２１０を通過した後に、弁１３まで流通する。弁１３が開放されている場合に、出水口１５から浄水器１００の外部に浄水が排出される。
【０１１１】
以上のように、浄水器１００は、水処理装置２１０を備えている。浄水器１００は、水処理装置２１０および当該浄水器１００において、水中の添加材１６（図１参照）の成分の濃度の経時変化を防止することができる。
【０１１２】
なお、本発明に従った水処理装置において、収容部を形成する容器と、貯水部を形成する容器とは、それぞれ別の容器であってもよい。
【０１１３】
なお、水処理装置２１０（図１参照）において、流入口１７２ａは、頂壁１７２に形成されることに限定されず、周壁１７１または底壁１７３に形成されていてもよい。水処理装置２１０において、流入口１７２ａは、流出口１９３よりも下方に配置されていてもよい。流出口１９３は、鉛直上下方向に沿った収容部１６３の中心よりも上方に配置されていてもよい。
【０１１４】
なお、収容部１６３と貯水部１６４とは、ケース１６０の内部において土台部材４１によって区画されていることに限定されない。例えば、鉛直方向に沿った方向における内筒１８０の周壁１８１の下端１８１ｃの位置が、ケース１６０の底面１７４の位置と略一致し、流出口１９３よりも下方において、内筒１８０の周壁１８１に孔が開けられている場合には、収容部１６３の下端の近傍を通じて収容部１６３と貯水部１６４とを連通させることができる。鉛直方向に沿った方向における内筒１８０の周壁１８１の下端１８１ｃの位置が、ケース１６０の底面１７４の位置と略一致する場合には、堆積物１６６の下端は底面１７４に配置される。
【０１１５】
あるいは、例えば、周壁１８１の下端１８１ｃと底面１７４との間に、網状等の部材が配置されていてもよい。この部材は、収容部１６３と貯水部１６４との間において、粒状の添加材１６の移動を制限し且つ水を流通させることができるように構成されていればよい。このようにすることによって、収容部１６３の下端の近傍を通じて収容部１６３と貯水部１６４とを連通させることができる。
【０１１６】
以上のように、水処理装置２１０は、収容部１６３と、貯水部１６４と、流出口１９３を有する流出部とを備えている。収容部１６３は、下端を有し、鉛直方向に沿って添加材１６を堆積させるように収容する。貯水部１６４には、水が流入される。流出部は、貯水部１６４に流入された水を収容部１６３の外部に流出口１９３を通じて流出させる。
【０１１７】
収容部１６３と貯水部１６４とは、収容部１６３の下端または収容部１６３の下端の近傍を通じて連通している。収容部１６３に堆積された堆積物１６６は、上端と下端とを有している。鉛直方向に沿った方向における流出口１９３の位置は、堆積物１６６の上端と下端との間の位置である。
【０１１８】
水処理装置２１０において、貯水部１６４に流入した水は、収容部１６３の下端または収容部１６３の下端の近傍を通じて収容部１６３に流入する。収容部１６３における水面の位置は、鉛直上下方向に沿った方向において流出口１９３の近傍の位置である。水処理装置２１０によれば、添加材１６の水への溶出量、および、水中の添加材１６の成分の濃度を一定に保つことができる。
【０１１９】
水処理装置２１０は、収容部１６３と、貯水部１６４と、流出口１９３を有する流出部とを備えている。収容部１６３は、下端を有し、鉛直方向に沿って添加材１６を堆積させるように収容する。貯水部１６４は、底面１７４を有している。貯水部１６４には、水が流入される。流出部は、貯水部１６４に流入された水を収容部１６３の外部に流出口１９３を通じて流出させる。
【０１２０】
収容部１６３の下端は、貯水部１６４の底面１７４よりも上方に位置している。収容部１６３と貯水部１６４とは、収容部１６３の下端を通じて連通している。収容部１６３に堆積された堆積物１６６は、上端と下端とを有している。鉛直方向に沿った方向における流出口１９３の位置が堆積物１６の上端と下端との間の位置であるように、流出口１９３は収容部１６３に配置されている。
【０１２１】
なお、水処理装置２１０において、ケース１６０の形状は、図１と図２とに示されるものに限定されない。以下では、ケース１６０の他の形状について、図４を用いて説明する。なお、以下において、図１と図２とに示されるケース１６０と同様の機能を有する構成には同符号を付す。
【０１２２】
なお、図４（Ａ）〜（Ｄ）に示す形状を有するケース１６０においても、図１と図２とに示すケース１６０と同様に、周壁１７１は、それぞれ略水平方向に延びる頂壁１７２（図１参照）と底壁１７３（図１参照）との間を鉛直上下方向に延びている。また、図４（Ａ）〜（Ｄ）に示す形状を有するケース１６０においても、図１と図２とに示すケース１６０と同様に、頂壁１７２の下面はケース１６０の天井面１７２ｄ（図１参照）を形成し、且つ、底壁１７３の上面はケース１６０の底面１７４（図１参照）を形成している。
【０１２３】
なお、図４（Ａ）〜（Ｄ）に示す形状を有するケース１６０においては、流入ノズル１６２ａと流入ノズル１６２ｂとがケース１６０に取り付けられている。また、流入口１７２ｅと流入口１７２ｆとが頂壁１７２に形成されている。詳細には、頂壁１７２において、周壁１７１の内面１７１ａの上端と周壁１８１の外面１８１ｂの上端との間の位置に、流入口１７２ｅと流入口１７２ｆとが形成されている。ケース１６０の平面視（図示せず）において、流入口１７２ｅと流入口１７２ｆとは、中心軸線Ｃ１（図１参照）を基準に互いに対向している。流入口１７２ｅの径と、流入口１７２ｆの径とは、略同一である。流入ノズル１６２ａの内周壁と流入口１７２ｅとは、頂壁１７２において連続している。流入ノズル１６２ｂの内周壁と流入口１７２ｆとは、頂壁１７２において連続している。
【０１２４】
図４（Ａ）に示すケース１６０は、略立方体形状を有している。ケース１６０の外形を形成する外筒１７０の周壁１７１は、筒形状を有し、且つ、正方形状の断面を有している。仕切部材としての内筒１８０は、周壁１８１を有している。周壁１８１は、天井面１７２ｄ（図１参照）から鉛直下方に向かって延びている。周壁１８１は、外筒１７０の周壁１７１に囲まれている。図４（Ａ）に示すケース１６０の内筒１８０の周壁１８１は、筒形状を有し、且つ、正方形状の断面を有している。
【０１２５】
図４（Ｂ）に示すケース１６０は、略立方体形状を有している。ケース１６０の外形を形成する外筒１７０の周壁１７１は、筒形状を有し、且つ、正方形状の断面を有している。仕切部材としての内筒１８０は、周壁１８１を有している。周壁１８１は、天井面１７２ｄ（図１参照）から鉛直下方に向かって延びている。周壁１８１は、外筒１７０の周壁１７１に囲まれている。図４（Ｂ）に示すケース１６０の内筒１８０の周壁１８１は、円筒形状を有している。
【０１２６】
図４（Ｃ）に示すケース１６０は、円筒形状を有している。ケース１６０の外形を形成する外筒１７０の周壁１７１は、円筒形状を有している。仕切部材としての内筒１８０は、周壁１８１を有している。周壁１８１は、天井面１７２ｄ（図１参照）から鉛直下方に向かって延びている。周壁１８１は、外筒１７０の周壁１７１に囲まれている。図４（Ｃ）に示すケース１６０の内筒１８０の周壁１８１は、筒形状を有し、且つ、正方形状の断面を有している。
【０１２７】
図４（Ｄ）に示すケース１６０は、略立方体形状を有している。ケース１６０の外形を形成する外筒１７０の周壁１７１は、筒形状を有し、且つ、正方形状の断面を有している。図４（Ｄ）に示すケース１６０は、仕切部材として仕切壁８８１と仕切壁８８２とを有している。仕切壁８８１と仕切壁８８２とは、天井面１７２ｄ（図１参照）から鉛直下方に向かって延びている。仕切壁８８１と仕切壁８８２とは、外筒１７０の周壁１７１に囲まれている。
【０１２８】
図４（Ｄ）の左右方向（ケース１６０の幅方向）に沿って、仕切壁８８１と仕切壁８８２との間には、間隔があけられている。仕切壁８８１と仕切壁８８２とは、周壁１７１の内面１７１ａに接触している。仕切壁８８１と仕切壁８８２とは、それぞれ周壁１７１の内面１７１ａに囲まれた空間において、ケース１６０の奥行き方向（図４（Ｄ）の上下方向）に沿って、手前側の内面１７１ａと奥側の内面１７１ａとに接触している。
【０１２９】
図４（Ｄ）に示すケース１６０において、貯水部１６４は、周壁１７１の内面１７１ａと仕切壁８８１の外面８８１ｂとの間の空間と、周壁１７１の内面１７１ａと仕切壁８８２の外面８８２ｂとの間の空間とに形成されている。また、図４（Ｄ）に示すケース１６０において、収容部１６３は、貯水部１６４よりもケース１６０の内側に配置され、外筒１７０の周壁１７１と頂壁１７２と底壁１７３と仕切壁８８１と仕切壁８８２とによって囲まれた空間に形成されている。詳細には、図４（Ｄ）に示すケース１６０において、収容部１６３は、周壁１７１の内面１７１ａと、仕切壁８８１の内面８８１ａと、仕切壁８８２の内面８８２ａと、天井面１７２ｄ（図１参照）と、土台部材４１（図１参照）の上面４１ａとによって囲まれた空間によって形成されている。図４（Ｄ）に示すケース１６０の内部において、収容部１６３と仕切壁８８１と仕切壁８８２と土台部材４１（図１参照）を除く空間が貯水部１６４として構成されている。
【０１３０】
（第２実施形態）
以下では、第２実施形態に係る水処理装置２２０について、図５と図６とを用いて説明する。なお、浄水器１００（図１参照）は、第１実施形態に係る水処理装置２１０に代わって、水処理装置２２０を備えていてもよい。
【０１３１】
図５に示すように、第２実施形態に係る水処理装置２２０は、ケース２６０を備えている。ケース２６０は、浄水器１００（図１参照）において、ケース２６０の底面２７４に水を貯めることができるように配置されている。つまり、図５の上下方向は、鉛直上下方向と略一致する。
【０１３２】
ケース２６０は、流入部と流出部とを含む。流入部は、ケース２６０に取り付けられた流入ノズル２６１と、ケース２６０に形成された流入口２７１ｃとを含む。流入ノズル２６１と流入口２７１ｃとは、ケース２６０に水を流入させる。流出部は、ケース２６０から水を流出させる。流出部は、ケース２６０に取り付けられた流出ノズル２９１と、ケース２６０に形成された流出口２７１ｄとを含む。より詳細には、流入口２７１ｃと流出口２７１ｄとは、後述する外筒２７０の周壁２７１に形成されている。
【０１３３】
ケース２６０の内部には、収容部２６３が形成されている。収容部２６３は、添加材１６を収容する。収容部２６３において、添加材１６は、鉛直方向に沿って堆積される。また、ケース２６０の内部には、貯水部２６４が形成されている。貯水部２６４は、水を貯留する。ケース２６０の外部と貯水部２６４とは、流入部によって連通されている。なお、貯水部２６４と収容部２６３とには、後述するようにそれぞれ水が流通する。そのため、貯水部２６４と収容部２６３とは、水が流通する通路の一部である。ケース２６０の内部において、貯水部２６４と収容部２６３とは連続している。
【０１３４】
ケース２６０は、筒形状を有している。また、ケース２６０は、外筒２７０と仕切部材２８０とによって構成されている。外筒２７０は、周壁２７１と頂壁２７２と底壁２７３とを含む。周壁２７１は、ケース２６０の側面を形成する。
【０１３５】
仕切部材２８０は、仕切壁２８１を有している。仕切壁２８１は、外筒２７０の頂壁２７２と底壁２７３との間において上下方向に沿った方向に延びている。仕切部材２８０は、外筒２７０の周壁２７１と頂壁２７２と底壁２７３とに囲まれた空間を、貯水部２６４と収容部２６３とに区画する。流入口２７１ｃは、外筒２７０の周壁２７１に形成されている。流出口２７１ｄは、添加材１６の堆積物２６６と面するように外筒２７０の周壁２７１に形成されている。
【０１３６】
図６に示すように、仕切壁２８１は、周壁２７１の内面２７１ａに接触している。仕切壁２８１は、周壁２７１の内面２７１ａに囲まれた空間において、ケース２６０の奥行き方向（図６の上下方向）に沿って、手前側の内面２７１ａと奥側の内面２７１ａとに接触している。
【０１３７】
図５に示すように、貯水部２６４は、外筒２７０の周壁２７１の内面２７１ａと仕切部材２８０の仕切壁２８１の一方側（図５の左方側）の壁面２８１ｂとの間の空間に形成されている。貯水部２６４の上端は天井面２７２ｄであって、下端は底面２７４である。ケース２６０の内部において、収容部２６３と仕切部材２８０と土台部材４２を除く空間が貯水部２６４として構成されている。
【０１３８】
土台部材４２は、仕切壁２８１の下端２８１ｃに取り付けられている。土台部材４２の上面４２ａは、底面２７４が延びる方向と平行な方向、つまり、略水平方向に延びている。土台部材４２のその他の構成は、第１実施形態に係る水処理装置２１０（図１参照）の土台部材４１（図１参照）と同様である。
【０１３９】
収容部２６３は、周壁２７１の内面２７１ａと、仕切壁２８１の他方側（図５の右方側）の壁面２８１ａと、天井面２７２ｄと、土台部材４２の上面４２ａとによって囲まれた空間によって形成されている。添加材１６が収容部２６３に満杯に収容された場合は、上下方向に沿った堆積物２６６の上端２６６ａの位置は、天井面２７２ｄの位置に略一致する。一方、上下方向に沿った堆積物２６６の下端の位置は、土台部材４２の上面４２ａの位置に略一致する。
【０１４０】
ケース２６０の内部において、仕切壁２８１の下端２８１ｃは、底面２７４との間に空間が形成されるように、底面２７４の上方に配置されている。したがって、添加材１６の堆積物２６６の下端は、底壁２７３よりも上方に配置されている。一方、流出口２７１ｄは、堆積物２６６の上端２６６ａと下端との間に配置されている。
【０１４１】
流出口２７１ｄは、鉛直上下方向に沿った収容部２６３の中心よりも下方に配置されている。図５において、鉛直上下方向に沿った収容部２６３の中心の位置は、水平線ＣＬ２によって示される。一方、流入口２７１ｃは、流出口２７１ｄよりも上方に配置されている。
【０１４２】
図６に示すように、ケース２６０の平面視において、貯水部２６４は、周壁２７１の内面２７１ａと仕切壁２８１の一方側（図６の左方側）の壁面２８１ｂとの間の空間に形成されている。収容部２６３は、ケース２６０の平面視において、周壁２７１の内面２７１ａと仕切壁２８１の他方側（図６の右方側）の壁面２８１ａとの間の空間に形成されている。
【０１４３】
流入口２７１ｃと流出口２７１ｄとは、仕切部材２８０を挟んで対向している。なお、流入ノズル２６１の内周壁２６１ｃおよび流入口２７１ｃの径と、流出ノズル２９１の内周壁２９１ｃおよび流出口２７１ｄの径とは、略同一である。あるいは、流入ノズル２６１の内周壁２６１ｃおよび流入口２７１ｃの径よりも、流出ノズル２９１の内周壁２９１ｃおよび流出口２７１ｄの径の方が大きければよい。
【０１４４】
以下では、ケース２６０の内部における水の流れについて、説明する。流入口２７１ｃを通ってケース２６０の外部から内部に流入した水は、貯水部２６４を流通する。貯水部２６４を通った水は、土台部材４２を通ることによって貯水部２６４から収容部２６３に流入する。収容部２６３を水が流通する間および収容部２６３に水が滞留する間に、添加材１６に水が接触することにより、添加材１６が水に溶出することによって、成分が水に混入される。添加材１６の成分を含んだ水は、流出口２７１ｄから流出ノズル２９１の内部を通ってケース２６０の外部に流出する。
【０１４５】
ケース２６０の外部に流出した水の圧力が極度に高くなるようにケース２６０の外部において水の流れが絞られた状態を除く場合は、ケース２６０の内部の水面の位置は、鉛直上下方向に沿った方向において流出口２７１ｄの近傍の位置である。水処理装置２２０において、流出口２７１ｄは、堆積物２６６の上端２６６ａと下端との間に配置されている。つまり、ケース２６０の外部に流出する水の圧力が極度に高くない場合は、水面の位置は、堆積物２６６の上端２６６ａと下端との間の位置である。
【０１４６】
水処理装置２２０によれば、流出口２７１ｄが、ケース２６０の頂壁２７２ではなくケース２６０の外筒２７０の周壁２７１に形成されている。つまり、水処理装置２２０において、鉛直方向に沿った方向における流出口２７１ｄの位置は、比較的低い位置である。水処理装置２２０によれば、ケース２６０の内部に流入させる水の圧力があまり高くない場合であっても、ケース２６０の外部に水を容易に流出させることができる。
【０１４７】
以上のように第２実施形態の水処理装置２２０は、ケース２６０を備えている。ケース２６０は、ケース２６０に水を流入させる流入部と、ケース２６０から水を流出させる流出口２７１ｄを有する流出部とを含む。流入部は、流入ノズル２６１と、流入口２７１ｃとを含む。ケース２６０の内部には、収容部２６３が形成されている。収容部２６３は、鉛直方向に沿って添加材１６を堆積させるように収容する。収容部２６３に堆積された添加材１６の堆積物２６６は、上端２６６ａと下端とを有している。流出部の流出口２７１ｄは、堆積物２６６の上端２６６ａと下端との間に配置されている。
【０１４８】
水処理装置２２０において、ケース２６０の内部に流入した水は、ケース２６０の内部を流通した後に流出口２７１ｄを通ってケース２６０の外部に流出する。ケース２６０の内部における水面の位置は、鉛直上下方向に沿った方向において流出口２７１ｄの近傍の位置である。
【０１４９】
水処理装置２２０によれば、流出口２７１ｄは、堆積物２６６の上端２６６ａと下端との間に配置されている。そのため、水面の位置は、堆積物２６６の上端２６６ａと下端との間の位置である。これにより、堆積物２６６において、流出口２７１ｄよりも上方の部分は、水と接触し難い。そのため、堆積物２６６における流出口２７１ｄよりも上方の部分は、ほとんど水に溶出しない。一方、堆積物２６６における流出口２７１ｄよりも下方の部分は、略常時、水に浸かっている。
【０１５０】
また、堆積物２６６における流出口２７１ｄよりも上方の部分は、堆積物２６６における流出口２７１ｄよりも下方の部分が溶けた後に、重力によって徐々に下方に移動する。これにより、添加材１６の多くが収容部２６３に残っている間は、堆積物２６６の全体において水に接触する部分の体積を一定に保つことができる。そのため、添加材１６の水への溶出量、および、水中の添加材１６の成分の濃度を一定に保つことができる。
【０１５１】
したがって、水処理装置２２０によれば、水中の添加材１６の成分の濃度の経時変化を防止することができる。
【０１５２】
水処理装置２２０において、ケース２６０の内部には、水を貯留する貯水部２６４が形成されている。貯水部２６４とケース２６０の外部とは、流入ノズル２６１および流入口２７１ｃによって連通されている。ケース２６０の内部において貯水部２６４と収容部２６３とは連続している。
【０１５３】
この構成によれば、ケース２６０の外部から内部に流入した水は、貯水部２６４を通ってから収容部２６３に流入する。つまり、ケース２６０の外部から内部に流入した水が、ケース２６０の内部においていきなり添加材１６に接触することがない。また、堆積物２６６における流出口２７１ｄよりも下方の部分は、ケース２６０の外部から内部に流入した直後の水と順序を踏まずに接触することがなく、貯水部２６４を通った水と接触する。そのため、堆積された添加材１６が水に余分に溶出することが無い。これにより、添加材１６が消失するまでの期間が短縮されることを防止することができる。
【０１５４】
水処理装置２２０において、流出部の流出口２７１ｄは、鉛直上下方向に沿った収容部２６３の中心よりも下方に配置されている。
【０１５５】
この構成によれば、収容部２６３の堆積物２６６において、水に溶出する部分と、水に接触せずに堆積する部分とを効果的に分けることができる。これにより、添加材１６の水への溶出量、および、添加材１６が消失するまでの期間を適宜調整することができる。
【０１５６】
水処理装置２２０において、流入部は、ケース２６０に形成された流入口２７１ｃを有している。流入口２７１ｃは、流出口２７１ｄよりも上方に配置されている。
【０１５７】
この構成によれば、流入口２７１ｃからケース２６０の内部に流入する水を、重力によって、ケース２６０の内部の下部に移動させることができる。ケース２６０の内部に流入する水の量の増加に従って、ケース２６０の内部の下部から流出口２７１ｄまでに水面が上昇する。さらに、ケース２６０の内部を流通する水の水圧によって、流出口２７１ｄを通してケース２６０の外部に水を流出させることができる。このように、この構成によれば、水圧と重力とを単に考慮することによって、流入口２７１ｃを通してケース２６０の外部から内部に流入した水をケース２６０の外部に流出口２７１ｄを通して流出させることができる。
【０１５８】
水処理装置２２０において、流入部は、ケース２６０に形成された流入口２７１ｃを有している。流出部の流出口２７１ｄは、ケース２６０に形成されている。
【０１５９】
この構成によれば、ケース２６０に流入口２７１ｃと流出口２７１ｄといった孔を形成することによって、特定の経路を水が移動することがなくなり、溶出量の長期的な変化に容易に対応することができる。
【０１６０】
水処理装置２２０において、ケース２６０は、ケース２６０の側面を形成する周壁２７１を有している。流入口２７１ｃと流出口２７１ｄとは、周壁２７１に形成されている。
【０１６１】
この構成によれば、流入ノズル２６１および流入口２７１ｃを通してケース２６０の内部に水を流入される水を流通させるための管状部材（図示せず）と、流出ノズル２９１および流出口２７１ｄを通してケース２６０の外部に流出される水を流通させるための管状部材（図示せず）とを、周壁２７１の外側において、それぞれ流入ノズル２６１と流出ノズル２９１とに容易に接続させることができる。例えば、ケース２６０の内部に水を流入される水を流通させるための管状部材と、ケース２６０の外部に流出される水を流通させるための管状部材とが略水平方向に延びている場合には、これらの管状部材を流入ノズル２６１と流出ノズル２９１とに特に容易に接続させることができる。
【０１６２】
水処理装置２２０において、ケース２６０は、外筒２７０と仕切部材２８０とによって構成されている。外筒２７０は、筒形状を有し且つ周壁２７１と頂壁２７２と底壁２７３とを含む。仕切部材２８０は、外筒２７０の頂壁２７２と底壁２７３との間において上下方向に沿った方向に延びている。仕切部材２８０は、外筒２７０の周壁２７１と頂壁２７２と底壁２７３とに囲まれた空間を、水を貯留する貯水部２６４と収容部２６３とに区画する。収容部２６３は、外筒２７０の周壁２７１と頂壁２７２と底壁２７３と仕切部材２８０とによって囲まれた空間に形成されている。流出口２７１ｄは、添加材１６の堆積物２６６と面するように外筒２７０の周壁２７１に形成されている。
【０１６３】
この構成によれば、外筒２７０と仕切部材２８０とによってケース２６０を容易に形成することができる。さらに、外筒２７０の頂壁２７２と底壁２７３との間において上下方向に沿った方向に延びる仕切部材２８０と、外筒２７０の周壁２７１とによって、収容部２６３を容易に形成することができる。
【０１６４】
また、この構成によれば、流出口２７１ｄは、堆積物２６６に面するように外筒２７０の周壁２７１に形成されている。これにより、流出口２７１ｄおよび流出部を通して、添加材１６の成分が溶解した水をケース２６０の外部に容易に移動させることができる。
【０１６５】
水処理装置２２０において、流入口２７１ｃは、外筒２７０に形成されている。添加材１６の堆積物２６６の下端は、外筒２７０の底壁２７３よりも上方に配置されている。
【０１６６】
この構成によれば、ケース２６０の内部の水は、外筒２７０の底壁２７３から堆積物２６６の下端を通るように、貯水部２６４から収容部２６３に容易に移動する。そのため、添加材１６の成分が溶解した水が、外筒２７０の底壁２７３と堆積物２６６の下端との間の空間に滞留または沈殿し難い。このように、この構成によれば、ケース２６０の内部に添加材１６の成分が溶解した水が残ることを防止することができる。
【０１６７】
なお、収容部２６３と貯水部２６４とは、ケース２６０の内部において土台部材４２によって区画されていることに限定されない。例えば、鉛直方向に沿った方向における仕切壁２８１の下端２８１ｃの位置が、ケース２６０の底面２７４の位置と略一致し、流出口２７１ｄよりも下方において、仕切壁２８１に孔が開けられている場合には、収容部２６３の下端の近傍を通じて収容部２６３と貯水部２６４とを連通させることができる。鉛直方向に沿った方向における仕切壁２８１の下端２８１ｃの位置が、ケース２６０の底面２７４の位置と略一致する場合には、堆積物２６６の下端は底面２７４に配置される。
【０１６８】
あるいは、例えば、仕切壁２８１の下端２８１ｃと底面２７４との間に、網状等の部材が配置されていてもよい。この部材は、収容部２６３と貯水部２６４との間において、粒状の添加材２６の移動を制限し且つ水を流通させることができるように構成されていればよい。このようにすることによって、収容部２６３の下端の近傍を通じて収容部２６３と貯水部２６４とを連通させることができる。
【０１６９】
以上のように、水処理装置２２０は、収容部２６３と、貯水部２６４と、流出口２７１ｄを有する流出部とを備えている。収容部２６３は、下端を有し、鉛直方向に沿って添加材１６を堆積させるように収容する。貯水部２６４には、水が流入される。流出部は、貯水部２６４に流入された水を貯水部２６４の外部に流出口２７１ｄを通じて流出させる。
【０１７０】
収容部２６３と貯水部２６４とは、収容部２６３の下端または収容部２６３の下端の近傍を通じて連通している。収容部２６３に堆積された堆積物２６６は、上端と下端とを有している。鉛直方向に沿った方向における流出口２７１ｄの位置は、堆積物２６６の上端２６６ａと下端との間の位置である。
【０１７１】
水処理装置２２０において、貯水部２６４に流入した水は、収容部２６３の下端または収容部２６３の下端の近傍を通じて収容部２６３に流入する。収容部２６３における水面の位置は、鉛直上下方向に沿った方向において流出口２７１ｄの近傍の位置である。水処理装置２２０によれば、添加材１６の水への溶出量、および、水中の添加材１６の成分の濃度を一定に保つことができる。
【０１７２】
水処理装置２２０は、収容部２６３と、貯水部２６４と、流出口２７１ｄを有する流出部とを備えている。収容部２６３は、下端を有し、鉛直方向に沿って添加材１６を堆積させるように収容する。貯水部２６４は、底面２７４を有している。貯水部２６４には、水が流入される。流出部は、貯水部２６４に流入された水を収容部２６３および貯水部２６４の外部に流出口２７１ｄを通じて流出させる。
【０１７３】
収容部２６３の下端は、貯水部２６４の底面２７４よりも上方に位置している。収容部２６３と貯水部２６４とは、収容部２６３の下端を通じて連通している。収容部２６３に堆積された堆積物２６６は、上端２６６ａと下端とを有している。鉛直方向に沿った方向における流出口２７１ｄの位置が堆積物２６６の上端２６６ａと下端との間の位置であるように、流出口２７１ｄは堆積物２６６に面している。
【０１７４】
なお、水処理装置２２０において、ケース２６０の形状は、図５と図６とに示されるものに限定されない。以下では、ケース２６０の他の形状について、図７を用いて説明する。なお、以下において、図５と図６とに示されるケース２６０と同様の機能を有する構成には同符号を付す。
【０１７５】
なお、図７（Ａ），（Ｂ）に示す形状を有するケース２６０においても、図５と図６とに示すケース２６０と同様に、周壁２７１は、それぞれ略水平方向に延びる頂壁２７２（図５参照）と底壁２７３（図５参照）との間を鉛直上下方向に延びている。また、図７（Ａ），（Ｂ）に示す形状を有するケース２６０においても、図５と図６とに示すケース２６０と同様に、頂壁２７２の下面はケース２６０の天井面２７２ｄ（図５参照）を形成し、且つ、底壁２７３の上面はケース２６０の底面２７４（図５参照）を形成している。
【０１７６】
図７（Ａ）に示すケース２６０は、円筒形状を有している。ケース２６０の外形を形成する外筒２７０の周壁２７１は、円筒形状を有している。仕切部材２８０は、仕切壁２８１を有している。仕切壁２８１は、天井面２７２ｄ（図５参照）から鉛直下方に向かって延びている。仕切壁２８１は、外筒２７０の周壁２７１に囲まれている。図７（Ａ）に示すケース２６０の仕切部材２８０の仕切壁２８１は、周壁２７１の内面２７１ａに接触している。仕切壁２８１は、周壁２７１の内面２７１ａに囲まれた空間において、ケース２６０の奥行き方向（図７（Ａ）の上下方向）に沿って、手前側の内面２７１ａと奥側の内面２７１ａとに接触している。
【０１７７】
図７（Ａ）に示すケース２６０の平面視において、貯水部２６４は、周壁２７１の内面２７１ａと仕切壁２８１の一方側（図７（Ａ）の左方側）の壁面２８１ｂとの間の空間に形成されている。また、図７（Ａ）に示すケース２６０において、収容部２６３は、周壁２７１の内面２７１ａと、仕切壁２８１の他方側（図７（Ａ）の右方側）の壁面２８１ａと、天井面２７２ｄ（図５参照）と、土台部材４２（図５参照）の上面４２ａとによって囲まれた空間によって形成されている。図７（Ａ）に示すケース２６０の内部において、収容部２６３と仕切壁２８１と土台部材４２を除く空間が貯水部２６４として構成されている。
【０１７８】
図７（Ｂ）に示すケース２６０は、円筒形状を有している。ケース２６０の外形を形成する外筒２７０の周壁２７１は、円筒形状を有している。図７（Ｂ）に示すケース２６０は、仕切部材としての内筒２８０を有している。内筒２８０は、仕切壁としての周壁２８１を有している。周壁２８１は、円筒形状を有している。周壁２８１は、天井面２７２ｄ（図５参照）から鉛直下方に向かって延びている。周壁２８１は、外筒２７０の周壁２７１に囲まれている。
【０１７９】
図７（Ｂ）に示すケース２６０の内筒２８０の周壁２８１の一方側（図７（Ｂ）の左方側）の部分は、外筒２７０の周壁２７１の一方側（図７（Ｂ）の左方側）の内面２７１ａから離れている。一方、内筒２８０の周壁２８１の他方側（図７（Ｂ）の右方側）の部分は、周壁２７１の他方側（図７（Ｂ）の右方側）の内面２７１ａに接触している。周壁２８１の他方側の外面が外筒２７０の他方側の周壁２７１の内面２７１ａに固定されることにより、内筒２８０は、外筒２７０に接触している。
【０１８０】
図７（Ｂ）に示すケース２６０の平面視において、貯水部２６４は、周壁２７１の内面２７１ａと周壁２８１の外側の壁面２８１ｂとの間の空間に形成されている。また、図７（Ｂ）に示すケース２６０において、収容部２６３は、周壁２７１の内面２７１ａと、周壁２８１の内側の壁面２８１ａと、天井面２７２ｄ（図５参照）と、土台部材４２（図５参照）の上面４２ａとによって囲まれた空間によって形成されている。図７（Ｂ）に示すケース２６０の内部において、収容部２６３と仕切壁２８１と土台部材４２を除く空間が貯水部２６４として構成されている。
【０１８１】
図７（Ｂ）に示すように、流入口２７１ｃと流出口２７１ｄとは、ケース２６０の幅方向に沿って互いに対向するように外筒２７０の周壁２７１に形成されている。このように、図７（Ｂ）に示すケース２６０の平面視において、内筒２８０は、流入口２７１ｃよりも流出口２７１ｄの近くに配置されている。
【０１８２】
（第３実施形態）
以下では、第３実施形態に係る水処理装置２３０について、図８と図９とを用いて説明する。なお、浄水器１００（図１参照）は、第１実施形態に係る水処理装置２１０または第２実施形態に係る水処理装置２２０に代わって、水処理装置２３０を備えていてもよい。
【０１８３】
図８に示すように、第３実施形態に係る水処理装置２３０は、ケース３６０を備えている。ケース３６０は、浄水器１００（図１参照）において、ケース３６０の底面３７４に水を貯めることができるように配置されている。つまり、図８の上下方向は、鉛直上下方向と略一致する。
【０１８４】
ケース３６０は、流入部と流出部とを含む。流入部は、ケース３６０に取り付けられた流入ノズル３６１と、ケース３６０に形成された流入口３７１ｃとを含む。流入ノズル３６１と流入口３７１ｃとは、ケース３６０に水を流入させる。流出部は、ケース３６０から水を流出させる。流出部は、ケース３６０に取り付けられた流出ノズル３９１と、ケース３６０に形成された流出口３７１ｄとを含む。より詳細には、流入口３７１ｃと流出口３７１ｄとは、後述する外筒３７０の周壁３７１に形成されている。
【０１８５】
ケース３６０の内部には、収容部３６３が形成されている。収容部３６３は、添加材１６を収容する。収容部３６３において、添加材１６は、鉛直方向に沿って堆積される。また、ケース３６０の内部には、貯水部３６４が形成されている。貯水部３６４は、水を貯留する。ケース３６０の外部と貯水部３６４とは、流入部によって連通されている。なお、貯水部３６４と収容部３６３とには、後述するようにそれぞれ水が流通する。そのため、貯水部３６４と収容部３６３とは、水が流通する通路の一部である。ケース３６０の内部において、貯水部３６４と収容部３６３とは連続している。
【０１８６】
ケース３６０は、筒形状を有している。また、ケース３６０は、外筒３７０と複数の仕切部材３８０とによって構成されている。外筒３７０は、周壁３７１と頂壁３７２と底壁３７３とを含む。
【０１８７】
仕切部材３８０は、仕切壁３８１と仕切壁３８２とを有している。仕切壁３８１と仕切壁３８２とは、外筒３７０の周壁３７１に囲まれるように頂壁３７２と底壁３７３との間においてそれぞれ上下方向に沿った方向に延びている。仕切壁３８１と仕切壁３８２とは、後述するように、外筒３７０の周壁３７１と頂壁３７２と底壁３７３とに囲まれた空間を、水を貯留する貯水部３６４と収容部３６３とに区画する。流入口３７１ｃは、外筒３７０の周壁３７１に形成されている。流出口３７１ｄは、貯水部３６４とケース３６０の外部とが流出部によって連通されるように外筒３７０の周壁３７１に形成されている。流出口３７１ｄは、貯水部３６４の内部に面している。周壁３７１は、ケース３６０の側面を形成する。
【０１８８】
図９に示すように、ケース３６０は、略立方体形状を有している。ケース３６０の外形を形成する外筒３７０の周壁３７１は、筒形状を有し、且つ、正方形状の断面を有している。
【０１８９】
図９の左右方向（ケース３６０の幅方向）に沿って、仕切壁３８１と仕切壁３８２との間には、間隔があけられている。仕切壁３８１と仕切壁３８２とは、周壁３７１の内面３７１ａに接触している。仕切壁３８１と仕切壁３８２とは、周壁３７１の内面３７１ａに囲まれた空間において、ケース３６０の奥行き方向（図９の上下方向）に沿って、それぞれ手前側の内面３７１ａと奥側の内面３７１ａとに接触している。
【０１９０】
ケース３６０の平面視において、貯水部３６４は、外筒３７０の周壁３７１の内面３７１ａと仕切壁３８１の一方側（図９の左方側）の壁面３８１ｂとの間の空間と、周壁３７１の内面３７１ａと仕切壁３８２の他方側（図９の右方側）の壁面３８２ｂとの間の空間とに形成されている。貯水部３６４の上端は天井面３７２ｄ（図８参照）であって、下端は底面３７４（図８参照）である。ケース３６０の内部において、収容部３６３と仕切部材３８０と区画部材４３（図８参照）と区画部材４４（図８参照）とを除く空間が貯水部３６４として構成されている。
【０１９１】
図８に示すように、区画部材４３は、仕切壁３８１の下端３８１ｃと底面３７４との間を延びるように、仕切壁３８１と底壁３７３とに取り付けられている。区画部材４４は、仕切壁３８２の下端３８２ｃと底面３７４との間を延びるように、仕切壁３８２と底壁３７３とに取り付けられている。外筒３７０の周壁３７１に囲まれた空間において、区画部材４３と区画部材４４とは、それぞれ仕切壁３８１と仕切壁３８２と同様に、ケース３６０の奥行き方向（図９の上下方向）に沿って、手前側の内面３７１ａと奥側の内面３７１ａとの間に延びている。区画部材４３および区画部材４４のその他の構成は、第１実施形態に係る水処理装置２１０（図１参照）の土台部材４１（図１参照）と同様である。
【０１９２】
収容部３６３は、区画部材４３および仕切壁３８１の他方側（図９の右方側）の壁面３８１ａと、区画部材４４および仕切壁３８２の一方側（図９の左方側）の壁面３８２ａと、天井面３７２ｄ（図８参照）と、底面３７４（図８参照）とによって囲まれた空間によって形成されている。収容部３６３は、貯水部３６４に挟まれるように仕切壁３８１と仕切壁３８２とによって形成されている。
【０１９３】
添加材１６が収容部３６３に満杯に収容された場合は、上下方向に沿った堆積物３６６の上端３６６ａの位置は、天井面３７２ｄ（図８参照）の位置に略一致する。一方、上下方向に沿った堆積物３６６の下端の位置は、ケース３６０の底面３７４の位置と略一致する。
【０１９４】
ケース３６０の内部において、仕切壁３８１の下端３８１ｃと仕切壁３８２の下端３８２ｃとは、底面３７４との間に空間が形成されるように、底面３７４の上方に配置されている。したがって、仕切壁３８１の下端３８１ｃと底面３７４との間と、仕切壁３８２の下端３８２ｃと底面３７４との間とは、水が流通する。
【０１９５】
区画部材４３の上端と区画部材４４の上端とは、鉛直方向に沿った方向において、堆積物３６６の上端３６６ａよりも下端の近くに配置されている。鉛直方向に沿った方向において、区画部材４３の上端の位置と仕切壁３８１の下端３８１ｃの位置とは略一致する。また、鉛直方向に沿った方向において、区画部材４４の上端の位置と仕切壁３８２の下端３８２ｃの位置とは略一致する。なお、区画部材４３の上端と区画部材４４の上端とが堆積物３６６の上端３６６ａよりも下方に配置されるように、仕切壁３８１の下端３８１ｃと仕切壁３８２の下端３８２ｃとは、堆積物３６６の上端３６６ａよりも下方に配置されていればよい。
【０１９６】
鉛直方向に沿った方向における流出口３７１ｄの位置は、堆積物３６６の上端３６６ａと下端との間の位置である。流出口３７１ｄは、鉛直上下方向に沿った収容部３６３の中心よりも下方に配置されている。図８において、鉛直上下方向に沿った収容部３６３の中心の位置は、水平線ＣＬ３によって示される。一方、流入口３７１ｃは、流出口３７１ｄよりも上方に配置されている。仕切壁３８１の下端３８１ｃと仕切壁３８２の下端３８２ｃとは、鉛直上下方向に沿って、流出口３７１ｄと底面３７４との間に配置されている。
【０１９７】
図９に示すように、流入口３７１ｃと流出口３７１ｄとは、仕切部材３８０を挟んで対向している。なお、流入ノズル３６１の内壁３６１ｃおよび流入口３７１ｃの径と、流出ノズル３９１の内壁３９１ｃおよび流出口３７１ｄの径とは、略同一である。あるいは、流入ノズル３６１の内壁３６１ｃおよび流入口３７１ｃの径よりも、流出ノズル３９１の内壁３９１ｃおよび流出口３７１ｄの径の方が大きければよい。
【０１９８】
以下では、ケース３６０の内部における水の流れについて、説明する。流入口３７１ｃを通ってケース３６０の外部から内部に流入した水は、流入口３７１ｃに面した貯水部３６４を流通する。貯水部３６４を通った水は、区画部材４３を通ることによって貯水部３６４から収容部３６３に流入する。収容部３６３を水が流通する間および収容部３６３に水が滞留する間に、添加材１６に水が接触することにより、添加材１６が水に溶出することによって、成分が水に混入される。添加材１６の成分を含んだ水は、区画部材４４を通ることによって収容部３６３から流出口３７１ｄに面した貯水部３６４に流出する。流出口３７１ｄに面した貯水部３６４に流出した水は、流出口３７１ｄから流出ノズル３９１の内部を通ってケース３６０の外部に流出する。
【０１９９】
ケース３６０の外部に流出した水の圧力が極度に高くなるようにケース３６０の外部において水の流れが絞られた状態を除く場合は、ケース３６０の内部の水面の位置は、鉛直上下方向に沿った方向において流出口３７１ｄの近傍の位置である。水処理装置２３０において、流出口３７１ｄは、堆積物３６６の上端３６６ａと下端との間に配置されている。つまり、ケース３６０の外部に流出する水の圧力が極度に高くない場合は、水面の位置は、堆積物３６６の上端３６６ａと下端との間の位置である。
【０２００】
水処理装置２３０において、鉛直方向に沿った方向における流出口３７１ｄの位置は、比較的低い位置である。水処理装置２３０によれば、ケース３６０の内部に流入させる水の圧力があまり高くない場合であっても、ケース３６０の外部に水を容易に流出させることができる。
【０２０１】
以上のように第３実施形態の水処理装置２３０は、ケース３６０を備えている。ケース３６０は、ケース３６０に水を流入させる流入部と、ケース３６０から水を流出させる流出口３７１ｄを有する流出部とを含む。流入部は、流入ノズル３６１と、流入口３７１ｃとを含む。ケース３６０の内部には、収容部３６３が形成されている。収容部３６３は、鉛直方向に沿って添加材１６を堆積させるように収容する。収容部３６３に堆積された添加材１６の堆積物３６６は、上端３６６ａと下端とを有している。鉛直方向に沿った方向における流出部の流出口３７１ｄの位置は、堆積物３６６の上端３６６ａと下端との間の位置である。
【０２０２】
水処理装置２３０において、ケース３６０の内部に流入した水は、ケース３６０の内部を流通した後に流出口３７１ｄを通ってケース３６０の外部に流出する。ケース３６０の内部における水面の位置は、鉛直上下方向に沿った方向において流出口３７１ｄの近傍の位置である。
【０２０３】
水処理装置２３０によれば、鉛直方向に沿った方向における流出口３７１ｄの位置は、堆積物３６６の上端３６６ａと下端との間の位置である。そのため、水面の位置は、堆積物３６６の上端３６６ａと下端との間の位置である。これにより、堆積物３６６において、流出口３７１ｄよりも上方の部分は、水と接触し難い。そのため、堆積物３６６における流出口３７１ｄよりも上方の部分は、ほとんど水に溶出しない。一方、堆積物３６６における流出口３７１ｄよりも下方の部分は、略常時、水に浸かっている。
【０２０４】
また、堆積物３６６における流出口３７１ｄよりも上方の部分は、堆積物３６６における流出口３７１ｄよりも下方の部分が溶けた後に、重力によって徐々に下方に移動する。これにより、添加材１６の多くが収容部３６３に残っている間は、堆積物３６６の全体において水に接触する部分の体積を一定に保つことができる。そのため、添加材１６の水への溶出量、および、水中の添加材１６の成分の濃度を一定に保つことができる。
【０２０５】
したがって、水処理装置２３０によれば、水中の添加材１６の成分の濃度の経時変化を防止することができる。
【０２０６】
水処理装置２３０において、ケース３６０の内部には、水を貯留する貯水部３６４が形成されている。貯水部３６４とケース３６０の外部とは、流入ノズル３６１および流入口３７１ｃによって連通されている。ケース３６０の内部において貯水部３６４と収容部３６３とは連続している。
【０２０７】
この構成によれば、ケース３６０の外部から内部に流入した水は、貯水部３６４を通ってから収容部３６３に流入する。つまり、ケース３６０の外部から内部に流入した水が、ケース３６０の内部においていきなり添加材１６に接触することがない。また、堆積物３６６における流出口３７１ｄよりも下方の部分は、ケース３６０の外部から内部に流入した直後の水と順序を踏まずに接触することがなく、貯水部３６４を通った水と接触する。そのため、堆積された添加材１６が水に余分に溶出することが無い。これにより、添加材１６が消失するまでの期間が短縮されることを防止することができる。
【０２０８】
水処理装置２３０において、流出部の流出口３７１ｄは、鉛直上下方向に沿った収容部３６３の中心よりも下方に配置されている。
【０２０９】
この構成によれば、収容部３６３の堆積物３６６において、水に溶出する部分と、水に接触せずに堆積する部分とを効果的に分けることができる。これにより、添加材１６の水への溶出量、および、添加材１６が消失するまでの期間を適宜調整することができる。
【０２１０】
水処理装置２３０において、流入部は、ケース３６０に形成された流入口３７１ｃを有している。流入口３７１ｃは、流出口３７１ｄよりも上方に配置されている。
【０２１１】
この構成によれば、流入口３７１ｃからケース３６０の内部に流入する水を、重力によって、ケース３６０の内部の下部に移動させることができる。ケース３６０の内部に流入する水の量の増加に従って、ケース３６０の内部の下部から流出口３７１ｄまでに水面が上昇する。さらに、ケース３６０の内部を流通する水の水圧によって、流出口３７１ｄを通してケース３６０の外部に水を流出させることができる。このように、この構成によれば、水圧と重力とを単に考慮することによって、流入口３７１ｃを通してケース３６０の外部から内部に流入した水をケース３６０の外部に流出口３７１ｄを通して流出させることができる。
【０２１２】
水処理装置２３０において、流入部は、ケース３６０に形成された流入口３７１ｃを有している。流出部の流出口３７１ｄは、ケース３６０に形成されている。
【０２１３】
この構成によれば、ケース３６０に流入口３７１ｃと流出口３７１ｄといった孔を形成することによって、特定の経路を水が移動することがなくなり、溶出量の長期的な変化に容易に対応することができる。
【０２１４】
水処理装置２３０において、ケース３６０は、ケース３６０の側面を形成する周壁３７１を有している。流入口３７１ｃと流出口３７１ｄとは、周壁３７１に形成されている。
【０２１５】
この構成によれば、流入ノズル３６１および流入口３７１ｃを通してケース３６０の内部に水を流入される水を流通させるための管状部材（図示せず）と、流出ノズル３９１および流出口３７１ｄを通してケース３６０の外部に流出される水を流通させるための管状部材（図示せず）とを、周壁３７１の外側において、それぞれ流入ノズル３６１と流出ノズル３９１とに容易に接続させることができる。例えば、ケース３６０の内部に水を流入される水を流通させるための管状部材と、ケース３６０の外部に流出される水を流通させるための管状部材とが略水平方向に延びている場合には、これらの管状部材を流入ノズル３６１と流出ノズル３９１とに特に容易に接続させることができる。
【０２１６】
水処理装置２３０において、ケース３６０は、外筒３７０と、仕切部材としての仕切壁３８１と仕切壁３８２とによって構成されている。外筒３７０は、筒形状を有し且つ周壁３７１と頂壁３７２と底壁３７３とを含む。仕切壁３８１と仕切壁３８２とは、外筒３７０の周壁３７１に囲まれるように頂壁３７２と底壁３７３との間においてそれぞれ上下方向に沿った方向に延びている。仕切壁３８１と仕切壁３８２とは、外筒３７０の周壁３７１と頂壁３７２と底壁３７３とに囲まれた空間を、水を貯留する貯水部３６４と、収容部３６３とに区画する。
【０２１７】
水処理装置２３０において、流入口３７１ｃは、外筒３７０に形成されている。収容部３６３は、貯水部３６４に挟まれるように仕切壁３８１と仕切壁３８２とによって形成されている。ケース３６０は、水を支持し且つ水と接触する底面３７４を有している。添加材１６の堆積物３６６の下端の位置は、ケース３６０の底面３７４の位置と略一致する。仕切壁３８１の下端３８１ｃと、仕切壁３８２の下端３８２ｃとは、それぞれ、鉛直上下方向に沿って、流出口３７１ｄと底面３７４との間に配置されている。
【０２１８】
この構成によれば、ケース３６０の内部において、収容部３６３の周りを囲むように貯水部３６４が形成されている。これにより、貯水部３６４の容積を拡大させることができる。そのため、一時的に大量の水がケース３６０の内部に流入される場合であっても、貯水部３６４において水を一旦滞留させることができる。すなわち、一時的に大量の水がケース３６０の内部に流入される場合であっても、大量の水の全体が添加材１６の堆積物３６６に接触することが防止されている。このように、この構成によれば、添加材１６の溶出量の増大を防止することができる。
【０２１９】
水処理装置２３０において、流出口３７１ｄは、貯水部３６４とケース３６０の外部とが流出部によって連通されるように外筒３７０の周壁３７１に形成されている。
【０２２０】
この構成によれば、ケース３６０の外筒３７０の周壁３７１において、流出部を容易に形成することができる。この構成によれば、溶出した添加材１６の成分を含む水は、収容部３６３から貯水部３６４に移動した後に、ケース３６０の外部に流出する。このように、この構成によれば、溶出した添加材１６の成分を水に適切に混合させた後に、流出口３７１ｄを通してケース３６０の外部に流出させることができる。
【０２２１】
また、水処理装置２３０は、収容部３６３と、貯水部３６４と、流出口３９３を有する流出部とを備えている。収容部３６３は、下端を有し、鉛直方向に沿って添加材１６を堆積させるように収容する。貯水部３６４には、水が流入される。流出部は、貯水部３６４に流入された水を貯水部３６４の外部に流出口３７１ｄを通じて流出させる。
【０２２２】
収容部３６３と貯水部３６４とは、収容部３６３の下端または収容部３６３の下端の近傍を通じて連通している。収容部３６３に堆積された堆積物３６６は、上端３６６ａと下端とを有している。鉛直方向に沿った方向における流出口３７１ｄの位置は、堆積物３６６の上端３６６ａと下端との間の位置である。
【０２２３】
水処理装置２３０において、貯水部３６４に流入した水は、収容部３６３の下端または収容部３６３の下端の近傍を通じて収容部３６３に流入する。収容部３６３における水面の位置は、鉛直上下方向に沿った方向において流出口３７１ｄの近傍の位置である。水処理装置２３０によれば、添加材１６の水への溶出量、および、水中の添加材１６の成分の濃度を一定に保つことができる。
【０２２４】
水処理装置２３０は、収容部３６３と、貯水部３６４と、流出口３７１ｄを有する流出部と、区画部材４３，４４とを備えている。収容部３６３は、下端を有し、鉛直方向に沿って添加材１６を堆積させるように収容する。貯水部３６４には、水が流入される。流出部は、貯水部３６４に流入された水を収容部３６３および貯水部３６４の外部に流出口３７１ｄを通じて流出させる。
【０２２５】
収容部３６３に堆積された堆積物３６６は、上端３６６ａと下端とを有している。区画部材４３，４４は、収容部３６３と貯水部３６４との間に配置されている。区画部材４３，４４は、収容部３６３の添加材１６を支持し且つ貯水部３６４と収容部３６３とを連通させる。区画部材４３の上端と区画部材４４の上端とは、堆積物３６６の上端３６６ａよりも下方に配置されている。鉛直方向に沿った方向における流出口３７１ｄの位置が堆積物３６６の上端３６６ａと下端との間の位置であるように、流出口３７１ｄは貯水部３６４の内部に面している。
【０２２６】
水処理装置２３０において、貯水部３６４に流入した水は、区画部材４３を通じて収容部３６３に流入する。収容部３６３と貯水部３６４との間において、収容部３６３の水は、区画部材４３を通じて一方の貯水部３６４（図８の左方の貯水部３６４）、または、区画部材４４を通じて他方の貯水部３６４（図８の右方の貯水部３６４）に流出する。収容部３６３および貯水部３６４における水面の位置は、鉛直上下方向に沿った方向において流出口３７１ｄの近傍の位置である。水処理装置２３０によれば、添加材１６の水への溶出量、および、水中の添加材１６の成分の濃度を一定に保つことができる。
【０２２７】
なお、水処理装置２３０において、ケース３６０の形状は、図８と図９とに示されるものに限定されない。以下では、ケース３６０の他の形状について、図１０を用いて説明する。なお、以下において、図８と図９とに示されるケース３６０と同様の機能を有する構成には同符号を付す。
【０２２８】
なお、図１０に示す形状を有するケース３６０においても、図８と図９とに示すケース３６０と同様に、周壁３７１は、それぞれ略水平方向に延びる頂壁３７２（図８参照）と底壁３７３（図８参照）との間を鉛直上下方向に延びている。また、図１０に示す形状を有するケース３６０においても、図８と図９とに示すケース３６０と同様に、頂壁３７２の下面はケース３６０の天井面３７２ｄ（図８参照）を形成し、且つ、底壁３７３の上面はケース３６０の底面３７４（図８参照）を形成している。
【０２２９】
図１０に示すケース３６０は、円筒形状を有している。ケース３６０の外形を形成する外筒３７０の周壁３７１は、円筒形状を有している。仕切部材３８０は、仕切壁３８１と仕切壁３８２とを有している。仕切壁３８１と仕切壁３８２とは、天井面３７２ｄ（図８参照）から鉛直下方に向かって延びている。
【０２３０】
図１０の左右方向（ケース３６０の幅方向）に沿って、仕切壁３８１と仕切壁３８２との間には、間隔があけられている。仕切壁３８１と仕切壁３８２とは、周壁３７１の内面３７１ａに接触している。仕切壁３８１と仕切壁３８２とは、周壁３７１の内面３７１ａに囲まれた空間において、ケース３６０の奥行き方向（図１０の上下方向）に沿って、それぞれ手前側の内面３７１ａと奥側の内面３７１ａとに接触している。
【０２３１】
図１０に示すケース３６０のその他の構成は、図８と図９とに示すケース３６０の構成と同様である。
【実施例】
【０２３２】
本発明に従った水処理装置を用いることにより、水中の添加材の成分の濃度の経時変化について確認した。
【０２３３】
（実施例）
実施例においては、図１〜図２に示すケース１６０を備えた水処理装置２１０を準備した。ケース１６０の天井面１７２ｄから底面１７４までの鉛直上下方向に沿ったケース１６０の内部の深さは、２３０ｍｍであった。外筒１７０の周壁１７１の内径は、５６ｍｍであった。内筒１８０の周壁１８１の内径は、４５ｍｍであった。
【０２３４】
流出管１９０の内壁１９４および流出口１９３の径は、１６ｍｍであった。流出管１９０の下端１９２と収容部１６３の下端（つまり土台部材４１の上面４１ａ）との上下方向に沿った間隔は、５０ｍｍであった。一方、流入口１７２ａおよび流入ノズル１６１ａの内周壁１６１ｃの内径は、４６ｍｍであった。流入口１７２ａおよび流入ノズル１６１ａの内周壁１６１ｃの外径は、５４ｍｍであった。
【０２３５】
実施例において、添加材１６としては、硫酸カルシウム（赤穂化成株式会社製）２２０ｇを用いた。実験の開始時において、堆積物１６６の高さ（堆積物１６６の上端と収容部１６３の下端との間の鉛直上下方向に沿った寸法）は、１６０ｍｍであった。
【０２３６】
実施例においては、ケース１６０の内部を流通させる水として、水温が１７℃、且つ、硬度が４５ｍｇ／Ｌ−ＣａＣＯ３に調整された水を使用した。実施例においては、流入口１７２ａを通してケース１６０の外部から内部に、流速２Ｌ／ｍｉｎで水を流入させた。また、実施例においては、ケース１６０の内部に流入した水を、貯水部１６４と収容部１６３とを通した後に、流出口１９３および流出管１９０の内部を通してケース１６０の内部から外部に流出させた。ケース１６０の外部に流出した水を用いて、積算通水量の増加に伴う水の硬度の変化について確認した。実施例において、水の硬度の測定には、ＥＤＴＡ滴定法を用いた。
【０２３７】
（比較例）
一方、水処理装置２１０と比較するために、比較例としての水処理装置２９０（図１１参照）を用いた。水処理装置２９０が第１実施形態に係る水処理装置２１０と異なる点は、水処理装置２９０において、外筒９７０の頂壁９７２に流出口９９３が形成されることによって、添加材１６の堆積物９６６よりも上方に流出口９９３が配置されていた。そのため、水処理装置２９０においては、収容部９６３の全体を下方から上方に向かって水が流通する。
【０２３８】
水処理装置２９０において、流出口９９３は、頂壁９７２の中心部に形成されている。また、頂壁９７２には、流出ノズル９９１が取り付けられている。流出ノズル９９１の内周壁９９２と流出口９９３とは、頂壁９７２において連続している。流出口９９３および流出ノズル９９１の内周壁９９２の径は、流入口９７２ａおよび流入ノズル９６１ａの内周壁９６１ｃの幅よりも大きい。
【０２３９】
水処理装置２９０において、ケース９６０の天井面９７２ｄから底面９７４（つまり、底壁９７３の上面）までの鉛直上下方向に沿ったケース９６０の内部の深さは、２３０ｍｍであった。外筒９７０の周壁９７１の内径は、５６ｍｍであった。内筒９８０の周壁９８１の内径は、４５ｍｍであった。
【０２４０】
流出口９９３および流出ノズル９９１の内周壁９９２の径は、１６ｍｍであった。一方、流入口９７２ａおよび流入ノズル９６１ａの内周壁９６１ｃの内径は、４６ｍｍであった。流入口９７２ａおよび流入ノズル９６１ａの内周壁９６１ｃの外径は、５４ｍｍであった。
【０２４１】
比較例において、添加材１６としては、実施例と同様に、硫酸カルシウム（赤穂化成株式会社製）２２０ｇを用いた。比較例の実験の開始時において、堆積物９６６の上端と収容部９６３の下端（つまり土台部材４９の上面４９ａ）との上下方向に沿った間隔は、１６０ｍｍであった。水処理装置２９０のその他の構成は、水処理装置２１０（図２〜図３参照）と同様であった。
【０２４２】
比較例においては、実施例と同様に、ケース９６０の内部を流通させる水として、水温が１７℃、且つ、硬度が４５ｍｇ／Ｌ−ＣａＣＯ３に調整された水を使用した。比較例においては、実施例と同様に、流入口９７２ａを通してケース９６０の外部から内部に、流速２Ｌ／ｍｉｎで水を流入させた。また、比較例においては、ケース９６０の内部に流入した水を、貯水部９６４と収容部９６３とを通した後に、流出口９９３および流出ノズル９９１の内部を通してケース９６０の内部から外部に流出させた。ケース９６０の外部に流出した水を用いて、積算通水量の増加に伴う水の硬度の変化について確認した。比較例においても、水の硬度の測定には、ＥＤＴＡ滴定法を用いた。
【０２４３】
実施例と比較例とによって得られた結果を図１２に示す。図１２に示すように、実施例においては、実験の開始時から積算通水量が５００Ｌ近くに達するまで、水の硬度が約２５０〜３５０ｍｇ／Ｌ−ＣａＣＯ３の間で推移した。一方、比較例においては、実験の開始時には水の硬度が実施例に比べて極端に大きい。さらに、比較例においては、積算通水量が増加するに従って、水の硬度が次第に低下した。
【０２４４】
以上のように、実施例によれば、流出口１９３が堆積物１６６の上端と下端との間に配置された水処理装置２１０においては、流出口９９３が堆積物１６６の上端よりも上方に配置された比較例の水処理装置２９０よりも、水中の添加材１６の成分の濃度の経時変化の防止が可能であることが確認された。
【０２４５】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０２４６】
１００：浄水器、１６０：ケース、１６３：収容部、１６４：貯水部、１６６：堆積物、１７０：外筒、１７１：周壁、１７２：頂壁、１７２ａ：流入口、１７２ｃ：開口、１７３：底壁、１７４：底面、１８０：内筒、１８１：周壁、１９０：流出管、１９１：上端、１９２：下端、１９３：流出口、２１０：水処理装置、Ｃ１：中心軸線
【図１】
0005373138.tif 000002
【図２】
0005373138.tif 000003
【図３】
0005373138.tif 000004
【図４】
0005373138.tif 000005
【図５】
0005373138.tif 000006
【図６】
0005373138.tif 000007
【図７】
0005373138.tif 000008
【図８】
0005373138.tif 000009
【図９】
0005373138.tif 000010
【図１０】
0005373138.tif 000011
【図１１】
0005373138.tif 000012
【図１２】
0005373138.tif 000013